(57)【要約】【課題】デザイン性に優れており、かつ、その形状を維持できる化粧箱を容易に組み立てることができる紙製ブランクを提供すること。【解決手段】紙製ブランク１は、組み立てて化粧箱にすることができる紙製ブランク１であって、紙製ブランク１の裏側から窪んだ逆罫線１１ａ，１１ｂ，１２ａ，１２ｂを有し、この逆罫線１１ａ，１１ｂ，１２ａ，１２ｂは曲線であり、その紙製ブランク１を組み立てた化粧箱は、その逆罫線１１ａ，１１ｂ，１２ａ，１２ｂに沿って紙製ブランク１の表側が山折りとなるように折られることが可能となっており、紙製ブランク１を組み立てた化粧箱の逆罫線１１ａ，１１ｂ，１２ａ，１２ｂに挟まれた領域がへこみ又はふくらみを有する。【選択図】  図１
2019006420.tif 000002
【特許請求の範囲】
【請求項１】
組み立てて化粧箱にすることができる紙製ブランクであって、
紙製ブランクの裏側から窪んだ逆罫線を有し、
この逆罫線は曲線であり、
その紙製ブランクを組み立てた化粧箱は、その逆罫線に沿って紙製ブランクの表側が山折りとなるように折られることが可能となっており、
紙製ブランクを組み立てた化粧箱の逆罫線に挟まれた領域がへこみ又はふくらみを有することを特徴とする紙製ブランク。
【請求項２】
組み立てて化粧箱にすることができる紙製ブランクであって、
紙製ブランクの裏側から窪んだ逆罫線を有し、
この逆罫線は曲線であり、
その紙製ブランクを組み立てた化粧箱は、その逆罫線に沿って紙製ブランクの表側が山折りとなるように折られることが可能となっており、
組み立てた化粧箱の逆罫線に挟まれた領域が湾曲していることを特徴とする紙製ブランク。
【請求項３】
組み立てて化粧箱にすることができる紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線に挟まれた領域を分割するように紙製ブランクの表側から窪んだ正罫線が形成され、
その正罫線に沿って紙製ブランクの表側が谷折りとなるように折られることによって、組み立てた化粧箱の逆罫線に挟まれた領域がへこみを有することを特徴とする紙製ブランク。
【請求項４】
組み立てて化粧箱にすることができる紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線に囲まれた領域を分割するように紙製ブランクの表側から窪んだ正罫線が形成され、
その正罫線に沿って紙製ブランクの表側が谷折りとなるように折られることによって、組み立てた化粧箱の逆罫線に囲まれた領域がへこみを有することを特徴とする紙製ブランク。
【請求項５】
組み立てて化粧箱にすることができる紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線及び紙製ブランクの外縁に囲まれた領域を分割するように折目線が形成され、
その折目線に沿って紙製ブランクの表側が谷折りとなるように折られることによって、組み立てた化粧箱の逆罫線及び紙製ブランクの外縁に囲まれた領域がへこみを有することを特徴とする紙製ブランク。
【発明の詳細な説明】
【技術分野】
【０００１】
本発明は、組み立てて化粧箱にすることができる紙製ブランクに関するものであり、特に、デザイン性に優れた化粧箱を容易に組み立てることができる紙製ブランクに関するものである。
【背景技術】
【０００２】
収容部形成用折目線が形成されており、その収容部形成用折目線に沿って折り曲げることによって、組み立てて化粧箱にすることができる紙製ブランクがある。
【０００３】
一般的に板紙の紙製ブランクは、紙製ブランクの表面側が山折りとなるように折り曲げることで化粧箱を組み立てるようになっている。この紙製ブランクに収容部形成用折目線として形成される罫線は、紙製ブランクの表面側が窪んだ正罫線である。
【０００４】
紙製ブランクの収容部形成用折目線が正罫線である理由は、折目線に沿って折り曲げた際に、紙製ブランクの表面の割れの発生を防ぐためである。
【０００５】
紙製ブランクに正罫線の収容部形成用折目線を形成したものとして、特許文献１に示すものがある。
【先行技術文献】
【特許文献】
【０００６】
【特許文献１】特開２０１５−２１４１１６号公報
【発明の概要】
【発明が解決しようとする課題】
【０００７】
組み立てた化粧箱は、表面にふくらみやへこみを形成することによって、化粧箱の意匠性を向上させることができる。このような表面のふくらみやへこみを形成するための意匠用折目線を紙製ブランクに形成することとなる。
【０００８】
紙製ブランクは、まず収容部形成用折目線で折り曲げて、化粧箱の収容部を形成した形状となるように組み立てられる。次いで、紙製ブランクの表面側の所定の位置を押圧することによって、意匠用折目線で折れ曲がり、化粧箱の表面にへこみやふくらみを形成することができる。
【０００９】
しかし、この意匠用折目線が紙製ブランクの表面側が窪んだ正罫線であって、表面側が山折りとなるように折り曲げる場合、谷折りとなっている裏面側に正罫線に沿って盛り上がりが生じる。この裏面側の盛り上がりが表面側の山折りの抵抗となる。そのため、化粧箱の表面にへこみやふくらみを形成するために、紙製ブランクの表面側の所定の位置を強く押圧する必要があるという問題がある。
【００１０】
また、一度正罫線で表面側の山折りとなるように折れ曲がったとしても、この裏面側の盛り上がりが、折れ曲がりを元に戻そうとする方向に反発させる。そのため、化粧箱の表面にへこみやふくらみを形成して維持できないという問題もある。
【００１１】
そこで、上記点より本発明は、デザイン性に優れており、かつ、その形状を維持できる化粧箱を容易に組み立てることができる紙製ブランクを提供することを目的とする。
【課題を解決するための手段】
【００１２】
上記課題を解決するため、請求項１の紙製ブランクは、組み立てて化粧箱にすることができる紙製ブランクであって、紙製ブランクの裏側から窪んだ逆罫線を有し、この逆罫線は曲線であり、その紙製ブランクを組み立てた化粧箱は、その逆罫線に沿って紙製ブランクの表側が山折りとなるように折られることが可能となっており、紙製ブランクを組み立てた化粧箱の逆罫線に挟まれた領域がへこみ又はふくらみを有する。
【００１３】
請求項１の紙製ブランクによれば、逆罫線に挟まれた領域を小さな力で押圧するだけで、逆罫線に沿って折り曲げられ、その逆罫線に挟まれた領域に容易にへこみ又はふくらみを形成することができる。また、逆罫線に沿って紙製ブランクの表側が山折りとなるように折られているので、折れ曲がった状態が維持されやすく、化粧箱の表面にへこみやふくらみを形成して維持することができる。
【００１４】
請求項２の紙製ブランクは、組み立てて化粧箱にすることができる紙製ブランクであって、
紙製ブランクの裏側から窪んだ逆罫線を有し、この逆罫線は曲線であり、その紙製ブランクを組み立てた化粧箱は、その逆罫線に沿って紙製ブランクの表側が山折りとなるように折られることが可能となっており、組み立てた化粧箱の逆罫線に挟まれた領域が湾曲している。
【００１５】
請求項２の紙製ブランクによれば、逆罫線に挟まれた領域を小さな力で押圧するだけで、逆罫線に沿って折り曲げられ、その逆罫線に挟まれた領域に容易に湾曲を形成することができる。また、逆罫線に沿って紙製ブランクの表側が山折りとなるように折られているので、折れ曲がった状態が維持されやすく、化粧箱の表面に湾曲を形成して維持することができる。
【００１６】
請求項３の紙製ブランクは、組み立てて化粧箱にすることができる紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線に挟まれた領域を分割するように紙製ブランクの表側から窪んだ正罫線が形成され、その正罫線に沿って紙製ブランクの表側が谷折りとなるように折られることによって、組み立てた化粧箱の逆罫線に挟まれた領域がへこみを有する。
【００１７】
請求項３の紙製ブランクによれば、逆罫線に挟まれた領域を小さな力で押圧するだけで、逆罫線に沿って折り曲げられ、その逆罫線に挟まれた領域に容易にへこみを形成することができる。逆罫線に挟まれた領域を分割するように紙製ブランクの表側から窪んだ正罫線が形成されているので、この正罫線を押圧すると、より小さな力でその逆罫線に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【００１８】
請求項４の紙製ブランクは、組み立てて化粧箱にすることができる紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線に囲まれた領域を分割するように紙製ブランクの表側から窪んだ正罫線が形成され、その正罫線に沿って紙製ブランクの表側が谷折りとなるように折られることによって、組み立てた化粧箱の逆罫線に囲まれた領域がへこみを有する。
【００１９】
請求項４の紙製ブランクによれば、逆罫線に囲まれた領域を小さな力で押圧するだけで、逆罫線に沿って折り曲げられ、その逆罫線に挟まれた領域に容易にへこみを形成することができる。逆罫線に囲まれた領域を分割するように紙製ブランクの表側から窪んだ正罫線が形成されているので、この正罫線を押圧すると、より小さな力でその逆罫線に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【００２０】
請求項５の紙製ブランクは、組み立てて化粧箱にすることができる紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線及び紙製ブランクの外縁に囲まれた領域を分割するように折目線が形成され、その折目線に沿って紙製ブランクの表側が谷折りとなるように折られることによって、組み立てた化粧箱の逆罫線及び紙製ブランクの外縁に囲まれた領域がへこみを有する。
【００２１】
請求項５の紙製ブランクによれば、逆罫線及びブランクの外縁に挟まれた領域を小さな力で押圧するだけで、逆罫線に沿って折り曲げられ、その逆罫線に挟まれた領域に容易にへこみを形成することができる。逆罫線及びブランクの外縁に囲まれた領域を分割するように紙製ブランクの表側から折目線が形成されているので、この折目線を押圧すると、より小さな力でその逆罫線及びブランクの外縁に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【発明の効果】
【００２２】
請求項１乃至５のいずれかの紙製ブランクは、デザイン性に優れており、かつ、その形状を維持できる化粧箱を容易に組み立てることができる。
【図面の簡単な説明】
【００２３】
【図１】本発明の第一実施形態の紙製ブランクの展開図である。
【図２】図１の紙製ブランクを組み立てる途中の平面図である。
【図３】図１の紙製ブランクを組み立てた化粧箱の斜視図である。
【図４】本発明の第二実施形態の紙製ブランクの展開図である。
【図５】図４の紙製ブランクを組み立てる途中の平面図である。
【図６】図４の紙製ブランクを組み立てた化粧箱の斜視図である。
【図７】本発明の第三実施形態の紙製ブランクの展開図である。
【図８】図７の紙製ブランクを組み立てる途中の平面図である。
【図９】図７の紙製ブランクを組み立てた化粧箱の斜視図である。
【図１０】本発明の第四実施形態の紙製ブランクの展開図である。
【図１１】図１０の紙製ブランクを組み立てる途中の平面図である。
【図１２】図１０の紙製ブランクを組み立てた化粧箱の斜視図である。
【図１３】本発明の第五実施形態の紙製ブランクの展開図である。
【図１４】図１３の紙製ブランクを組み立てた化粧箱の斜視図である。
【図１５】本発明の第六実施形態の紙製ブランクの展開図である。
【図１６】図１５の紙製ブランクを組み立てた化粧箱の斜視図である。
【図１７】本発明の第七実施形態の紙製ブランクの展開図である。
【図１８】図１７の紙製ブランクを組み立てた化粧箱の斜視図である。
【発明を実施するための形態】
【００２４】
以下、本発明の実施形態について説明する。各実施形態の紙製ブランクは板紙からなる。
紙製ブランクの厚さは０．２ｍｍ〜０．８ｍｍの範囲である。紙製ブランクを組み立てた化粧箱は、包装済みの商品を入れる紙箱である。
【００２５】
本発明の第一実施形態の紙製ブランク１について、図１から図３に基づいて説明する。図１の展開図は、紙製ブランク１を表側から見たものである。図２は、後述するのり代部１８の貼り加工を行った後の状態を示す。紙製ブランク１は、図２の状態で納品される場合もある。図１の展開図及び図２の平面図に示されている一点鎖線は折目線である。
【００２６】
紙製ブランク１は、正面部１１、背面部１２、側面部１３、側面部１４、上面部１５、底面部１６、フラップ１７Ａ、フラップ１７Ｂ、及び、のり代部１８を有する。
【００２７】
正面部１１と側面部１３との間にある折目線１１ａは、紙製ブランク１の裏側から窪んだ逆罫線となっている。折目線１１ａは、収容部形成用折目線の役割を果たすと同時に意匠用折目線の役割も果たす。
【００２８】
正面部１１と側面部１４との間にある折目線１１ｂは、紙製ブランク１の裏側から窪んだ逆罫線となっている。折目線１１ｂは、収容部形成用折目線の役割を果たすと同時に意匠用折目線の役割も果たす。
【００２９】
背面部１２とのり代部１８との間にある折目線１２ａは、紙製ブランク１の裏側から窪んだ逆罫線となっている。折目線１２ａは、収容部形成用折目線の役割を果たすと同時に意匠用折目線の役割も果たす。
【００３０】
背面部１２とのり代部１８との間にある折目線１２ａは、紙製ブランク１の裏側から窪んだ逆罫線となっている。折目線１２ｂは、収容部形成用折目線の役割を果たすと同時に意匠用折目線の役割も果たす。
【００３１】
折目線１１ａ、折目線１１ｂ、折目線１２ａ及び折目線１２ｂは、曲線となっている。
図１の正面部１１において、折目線１１ａと折目線１１ｂは、線対称となっている。図１の背面部１２において、折目線１２ａと折目線１２ｂは、線対称となっている。図１の側面部１３において、折目線１１ａと折目線１２ａは、線対称となっている。
【００３２】
側面部１３は、中央折目線１３ａを有する。側面部１４は、中央折目線１４ａを有する。
【００３３】
この紙製ブランク１から化粧箱を組み立てる手順について以下に説明する。
【００３４】
まず、中央折目線１３ａ及び中央折目線１４ａに沿って紙製ブランク１の表側が山折りとなるように折り曲げる。
【００３５】
次いで、側面部１４の中央折目線１４ａで折れ曲がった部分とのり代部１８とが重なった状態で接着する。これにより、図２の平面図に示す状態となる。図３の状態では、同一形状の折目線１１ａと折目線１２ａが重なっており、同一形状の折目線１１ｂと折目線１２ｂが重なっている。
【００３６】
次いで、図２の矢印αに示すように、中央折目線１３ａと中央折目線１４ａとを互いに近づける方向に押圧する。矢印αに示す押圧によって、折目線１１ａ、折目線１１ｂ、折目線１２ａ及び折目線１２ｂは、紙製ブランク１の裏側から窪んだ逆罫線となっているので、容易に折れ曲がるようになっている。
【００３７】
矢印αに示す押圧によって、側面部１３では中央折目線１３ａが折れ曲がっていない状態に戻り、側面部１４では中央折目線１４ａの折れ曲がっていない状態に戻る。
【００３８】
また、矢印αに示す押圧によって、図２では重なった状態だった正面部１１と背面部１２とが離間していく。この離間していく過程で、折目線１１ａ、折目線１１ｂ、折目線１２ａ及び折目線１２ｂに沿って紙製ブランク１の表側が山折りとなるように折られて、紙製ブランク１は筒体となる。
【００３９】
最後に、筒体の上の開口はフラップ１７Ａ、フラップ１７Ａ及び上面部１５で閉塞され、筒体の下の開口はフラップ１７Ｂ、フラップ１７Ｂ及び底面部１６で閉塞されることで、図３に示す組み立てた化粧箱となる。
【００４０】
組み立てた化粧箱において、正面部１１は、逆罫線である折目線１１ａと折目線１１ｂとに挟まれた領域である。正面部１１は、折目線１１ａと折目線１１ｂとが互いに最も離れた部分が最もへこんでおり、折目線１１ａと折目線１１ｂとが互いに最も近づいた部分が最もふくらんでいる。つまり、正面部１１は、へこみとふくらみを有している。
【００４１】
組み立てた化粧箱において、背面部１２は、逆罫線である折目線１２ａと折目線１２ｂとに挟まれた領域である。背面部１２は、折目線１２ａと折目線１２ｂとが互いに最も離れた部分が最もへこんでおり、折目線１２ａと折目線１２ｂとが互いに最も近づいた部分が最もふくらんでいる。つまり、背面部１２は、へこみとふくらみを有している。
【００４２】
組み立てた化粧箱において、接着されて一体となった側面部１４とのり代部１８は、逆罫線である折目線１１ｂと折目線１２ｂとに挟まれた領域である。接着されて一体となった側面部１４とのり代部１８は、折目線１１ｂと折目線１２ｂとが互いに最も離れた部分が最もへこんでおり、折目線１１ｂと折目線１２ｂとが互いに最も近づいた部分が最もふくらんでいる。つまり、接着されて一体となった側面部１４とのり代部１８は、へこみとふくらみを有している。
【００４３】
組み立てた化粧箱において、側面部１３は、逆罫線である折目線１１ａと折目線１２ａとに挟まれた領域である。側面部１３は、折目線１１ａと折目線１２ａとが互いに最も離れた部分が最もへこんでおり、折目線１１ａと折目線１２aとが互いに最も近づいた部分が最もふくらんでいる。つまり、側面部１４は、へこみとふくらみを有している。
【００４４】
本発明の第二実施形態の紙製ブランク２について、図４から図６に基づいて説明する。図４の展開図は、紙製ブランク２を表側から見たものである。図５は、後述するのり代部２８の貼り加工を行った後の状態を示す。紙製ブランク２は、図５の状態で納品される場合もある。図４の展開図及び図５の平面図に示されている一点鎖線は折目線である。
【００４５】
紙製ブランク２は、正面部２１、背面部２２、側面部２３、側面部２４、上面部２５、地獄底構成部２６Ａ〜２６Ｄ、フラップ２７Ａ、フラップ２７Ｂ、のり代部２８、面取部２９Ａ、及び、面取部２９Ｂを有する。
【００４６】
正面部２１と側面部２３との間にある二本の折目線２１ａ、折目線２３ａは、紙製ブランク２の裏側から窪んだ逆罫線となっている。折目線２１ａ、折目線２３ａは、収容部形成用折目線の役割を果たすと同時に意匠用折目線の役割も果たす。
【００４７】
正面部２１と側面部２４との間にある二本の折目線２１ｂ、折目線２４ｂは、紙製ブランク２の裏側から窪んだ逆罫線となっている。折目線２１ｂ、折目線２４ｂは、収容部形成用折目線の役割を果たすと同時に意匠用折目線の役割も果たす。
【００４８】
折目線２１ａ、２３ａに囲まれた領域及び折目線２１ｂ、折目線２４ｂに囲まれた領域は、それぞれ面取部２９Ａ及び面取部２９Ｂである。
【００４９】
折目線２１ａ、折目線２３ａ、折目線２１ｂ及び折目線２４ｂは、曲線となっている。図４の正面部２１において、折目線２１ａと折目線２１ｂは、線対称となっている。図４の面取部２９Ａにおいて、折目線２１ａと折目線２３ａは、線対称となっている。図４の面取部２９Ｂにおいて、折目線２１ｂと折目線２４ｂは、線対称となっている。
【００５０】
側面部２３は、中央折目線２３ｃを有する。側面部２４は、中央折目線２４ｃを有する。
【００５１】
この紙製ブランク２から化粧箱を組み立てる手順について以下に説明する。
【００５２】
まず、中央折目線２３ｃ及び中央折目線２４ｃに沿って紙製ブランク２の表側が山折りとなるように折り曲げる。
【００５３】
次いで、側面部２４の中央折目線２４ｃで折れ曲がった部分とのり代部２８とが重なった状態で接着する。これにより、図５の平面図に示す状態となる。
【００５４】
次いで、図５の矢印βに示すように、中央折目線２３ｃと中央折目線２４ｃとを互いに近づける方向に押圧する。矢印βに示す押圧によって、折目線２１ａ、折目線２３ａ、折目線２１ｂ及び折目線２４ｂは、紙製ブランク２の裏側から窪んだ逆罫線となっているので、容易に折れ曲がるようになっている。
【００５５】
矢印βに示す押圧によって、側面部２３では中央折目線２３ｃが折れ曲がっていない状態に戻り、側面部２４では中央折目線２４ｃの折れ曲がっていない状態に戻る。
【００５６】
また、矢印βに示す押圧によって、図５では重なった状態だった正面部２１と背面部２２とが離間していく。この離間していく過程で、折目線２１ａ、折目線２３ａ、折目線２１ｂ、折目線２４ｂ、折目線２２ａ及び折目線２２ｂに沿って紙製ブランク２の表側が山折りとなるように折られて、紙製ブランク２は筒体となる。
【００５７】
最後に、筒体の上の開口はフラップ２７Ａ、フラップ２７Ｂ及び上面部２５で閉塞され、筒体の下の開口は地獄底構成部２６Ａ〜２６Ｄで閉塞されることで、図６に示す組み立てた化粧箱となる。
【００５８】
組み立てた化粧箱において、正面部２１は、逆罫線である折目線２１ａと折目線２１ｂとに挟まれた領域である。正面部２１は、折目線２１ａと折目線２１ｂとが互いに最も離れた部分が最もへこんでおり、折目線２１ａと折目線２１ｂとが互いに最も近づいた部分が最もふくらんでいる。つまり、正面部２１は、へこみとふくらみを有している。
【００５９】
組み立てた化粧箱において、面取部２９Ａは、逆罫線である折目線２１ａと折目線２３ａとに挟まれた領域である。面取部２９Ａは、折目線２１ａと折目線２３ａとが互いに最も離れた部分が最もへこんでおり、折目線２１ａと折目線２３ａとが互いに最も近づいた部分が最もふくらんでいる。つまり、面取部２９Ａは、へこみとふくらみを有している。
【００６０】
組み立てた化粧箱において、面取部２９Ｂは、逆罫線である折目線２１ｂと折目線２４ｂとに挟まれた領域である。面取部２９Ｂは、折目線２１ｂと折目線２４ｂとが互いに最も離れた部分が最もへこんでおり、折目線２１ｂと折目線２４ｂとが互いに最も近づいた部分が最もふくらんでいる。つまり、面取部２９Ｂは、へこみとふくらみを有している。
【００６１】
本発明の第三実施形態の紙製ブランク３について、図７から図９に基づいて説明する。図７の展開図は、紙製ブランク３を表側から見たものである。図８は、後述するのり代部３７Ａ〜３７Ｄの貼り加工を行った後の状態を示す。紙製ブランク３は、図８の状態で納品される場合もある。図７の展開図及び図８の平面図に示されている一点鎖線は折目線である。
【００６２】
紙製ブランク３は、正面部３１、背面部３２Ａ，背面部３２Ｂ、側面部３３、側面部３４、取っ手部３５Ａ〜３５Ｃ、地獄底構成部３６Ａ〜３６Ｅ、及び、のり代部３７Ａ〜３７Ｄを有する。
【００６３】
正面部３１と側面部３３との間にある折目線３１ａ〜３１ｃは、紙製ブランク３の裏側から窪んだ逆罫線となっている。折目線３１ａ〜３１ｃは、収容部形成用折目線の役割を果たすと同時に意匠用折目線の役割も果たす。
【００６４】
背面部３２Ａと側面部３３との間にある折目線３２ａ〜３２ｃは、紙製ブランク３の裏側から窪んだ逆罫線となっている。折目線３２ａ〜３２ｃは、収容部形成用折目線の役割を果たすと同時に意匠用折目線の役割も果たす。
【００６５】
正面部３１と側面部３４との間にある折目線３１ｄ〜３１ｆは、紙製ブランク３の裏側から窪んだ逆罫線となっている。折目線３１ｄ〜３１ｆは、収容部形成用折目線の役割を果たすと同時に意匠用折目線の役割も果たす。
【００６６】
背面部３２Ｂと側面部３４との間にある折目線３２ｄ〜３２ｆは、紙製ブランク３の裏側から窪んだ逆罫線となっている。折目線３２ｄ〜３２ｆは、収容部形成用折目線の役割を果たすと同時に意匠用折目線の役割も果たす。
【００６７】
図７の正面部３１において、折目線３１ａ〜３１ｃと折目線３１ｄ〜３１ｆは、線対称となっている。図７の側面部３３において、折目線３１ａ〜３１ｃと折目線３２ａ〜３２ｃは、線対称となっている。図７の側面部３４において、折目線３１ｄ〜３１ｆと折目線３２ｄ〜３２ｆは、線対称となっている。
【００６８】
正面部３１は、中央折目線３１ｇを有している。中央折目線３１ｇの上端は、取っ手部３５Ａの上端にまで達している。中央折目線３１ｇの下端は、地獄底構成部３６Ａの下端にまで達している。
【００６９】
背面部３２Ａとのり代部３７Ｃとの間、取っ手部３５Ｂとのり代部３７Ａとの間、取っ手部３５Ｂとのり代部３７Ｂとの間、及び、地獄底構成部３６Ｂとのり代部３７Ｄとの間には、中央折目線３２ｇがある。
【００７０】
側面部３３の折目線３３ａ〜３３ｄは紙製ブランク３の裏側から窪んだ逆罫線となっている。折目線３３ａ〜３３ｄは、意匠用折目線の役割を果たす。側面部３３の折目線３３ｅ〜３３ｇは紙製ブランク３の表側から窪んだ正罫線となっている。折目線３３ｅ〜３３ｇは、意匠用折目線の役割を果たす。
【００７１】
側面部３４の折目線３４ａ〜３４ｄは紙製ブランク３の裏側から窪んだ逆罫線となっている。折目線３４ａ〜３４ｄは、意匠用折目線の役割を果たす。側面部３４の折目線３４ｅ〜３４ｇは紙製ブランク３の表側から窪んだ正罫線となっている。折目線３４ｅ〜３４ｇは、意匠用折目線の役割を果たす。
【００７２】
この紙製ブランク３から化粧箱を組み立てる手順について以下に説明する。
【００７３】
まず、中央折目線３１ｇ及び中央折目線３２ｇに沿って紙製ブランク３の表側が山折りとなるように折り曲げる。
【００７４】
次いで、取っ手部３５Ｃとのり代部３７Ａ及びのり代部３７Ｂとが重なった状態で接着し、背面部３２Ｂとのり代部３７Ｃとが重なった状態で接着し、地獄蓋構成部３６Ｃとのり代部３７Ｄとが重なった状態で接着する。これにより、図８の平面図に示す状態となる。
【００７５】
次いで、図８の矢印γに示すように、中央折目線３１ｇと中央折目線３２ｇとを互いに近づける方向に押圧する。矢印γに示す押圧によって、折目線３１ａ〜３１ｃ、折目線３２ａ〜３２ｃ、折目線３１ｄ〜３１ｆ及び折目線３２ｄ〜３２ｆは、紙製ブランク３の裏側から窪んだ逆罫線となっているので、容易に折れ曲がるようになっている。
【００７６】
矢印γに示す押圧によって、正面部３１では中央折目線３１ｇが折れ曲がっていない状態に戻り、接着により背面部３２Ａと背面部３２Ｂが一体となった面では、中央折目線３２ｇの折れ曲がっていない状態に戻る。
【００７７】
また、矢印γに示す押圧によって、図８では重なった状態だった側面部３３と側面部３４とが離間していく。この離間していく過程で、折目線３１ａ〜３１ｃ、折目線３２ａ〜３２ｃ、折目線３１ｄ〜３１ｆ及び折目線３２ｄ〜３２ｆに沿って紙製ブランク３の表側が山折りとなるように折られて、紙製ブランク３は筒体となる。
【００７８】
筒体の上の開口は取っ手部３５Ａと取っ手部３５Ｂ及び取っ手部３５Ｃが一体となったものが重なることによって閉塞され、筒体の下の開口は地獄底構成部３６Ａ〜３６Ｅで閉塞される
【００７９】
最後に、正罫線である折目線３３ｅ〜３３ｇ及び折目線３４ｅ〜３４ｇをそれぞれ紙製ブランク３の表面側から押圧することによって、折目線３３ｅ〜３３ｇ及び折目線３４ｅ〜３４ｇに沿って紙製ブランク３の表面側が谷折りとなるように折られる。その結果、図９に示す組み立てた化粧箱となる。
【００８０】
組み立てた化粧箱において、正面部３１は、逆罫線である折目線３１ａ〜３１ｃと折目線３１ｄ〜３１ｆとに挟まれた領域である。正面部３１は折目線３１ａ〜３１ｃと折目線３１ｄ〜３１ｆとが互いに最も近づいた部分が最もふくらんでいる。つまり、正面部３１は、ふくらみを有している。
【００８１】
組み立てた化粧箱において、接着により一体となった背面部３２Ａと背面部３２Ｂは、逆罫線である折目線３２ａ〜３２ｃと折目線３２ｄ〜３２ｆとに挟まれた領域である。接着により一体となった背面部３２Ａと背面部３２Ｂは折目線３２ａ〜３２ｃと折目線３２ｄ〜３２ｆとが互いに最も近づいた部分が最もふくらんでいる。つまり、接着により一体となった背面部３２Ａと背面部３２Ｂは、ふくらみを有している。
【００８２】
組み立てた化粧箱において、側面部３３は、逆罫線である折目線３１ａ〜３１ｃと折目線３２ａ〜３２ｃとに挟まれた領域である。この側面部３３は、折目線３１ａと折目線３２ａとが集まる点が尖るようにふくらんでいる。また、この側面部３３は、折目線３３ａ〜３３ｄと折目線３３ｆ〜３３ｇとが集まる点が尖るようにふくらんでいる。折目線３１ａ〜３１ｃと折目線３２ａ〜３２ｃとに挟まれた領域の中にあり、紙製ブランク３の表面側が山折りとなるように折られている折目線３３ａ〜３３ｄがふくらんでいる。さらに、紙製３ブランクの表面側が谷折りとなるように折られている折目線３３ｅ〜３３ｇがへこんでいる。つまり、側面部３３は、へこみとふくらみを有している。
【００８３】
また、組み立てた化粧箱において、側面部３３の折目線３１ａ、折目線３２ａ、折目線３３ａ及び折目線３３ｄに囲まれた領域は逆罫線で囲まれた領域である。折目線３１ａ、折目線３２ａ、折目線３３ａ及び折目線３３ｄに囲まれた領域は、紙製ブランク３の表面側が谷折りとなるように折られている折目線３３ｅがへこんでいる。つまり、折目線３１ａ、折目線３２ａ、折目線３３ａ及び折目線３３ｄに囲まれた領域は、へこみを有している。
【００８４】
同様に、折目線３１ｂ、折目線３１ｃ、折目線３３ａ及び折目線３３ｂに囲まれた領域も、へこみを有しており、折目線３２ｂ、折目線３２ｃ、折目線３３ｃ及び折目線３３ｄに囲まれた領域も、へこみを有している。
【００８５】
組み立てた化粧箱において、側面部３４は、逆罫線である折目線３１ｄ〜３１ｆと折目線３２ｄ〜３２ｆとに挟まれた領域である。この側面部３４は、折目線３１ｄと折目線３２ｄとが集まる点が尖るようにふくらんでいる。
【００８６】
また、この側面部３４は、折目線３４ａ〜３４ｄと折目線３４ｆ〜３４ｇとが集まる点が尖るようにふくらんでいる。
【００８７】
折目線３１ｄ〜３１ｆと折目線３２ｄ〜３２ｆとに挟まれた領域の中にあり、紙製ブランク３の表面側が山折りとなるように折られている折目線３４ａ〜３４ｄがふくらんでいる。
【００８８】
さらに、紙製ブランク３の表面側が谷折りとなるように折られている折目線３４ｅ〜３４ｇがへこんでいる。つまり、側面部３４は、へこみとふくらみを有している。
【００８９】
また組み立てた化粧箱において、側面部３４の折目線３１ｄ、折目線３２ｄ、折目線３４ａ及び折目線３４ｄに囲まれた領域は逆罫線で囲まれた領域である。折目線３１ｄ、折目線３２ｄ、折目線３４ａ及び折目線３４ｄに囲まれた領域はブランクの表面側が谷折りとなるように折られている折目線３４ｅがへこんでいる。
【００９０】
つまり、折目線３１ｄ、折目線３２ｄ、折目線３４ａ及び折目線３４ｄに囲まれた領域は、へこみを有している。
【００９１】
同様に、折目線３１ｅ、折目線３１ｆ、折目線３４ｃ及び折目線３４ｄに囲まれた領域も、へこみを有しており、折目線３２ｅ、折目線３２ｆ、折目線３４ａ及び折目線３４ｂに囲まれた領域も、へこみを有している。
【００９２】
本発明の第四実施形態の紙製ブランク４について、図１０から図１２に基づいて説明する。図１０の展開図は、紙製ブランク４を表側から見たものである。図１１は、後述する背面部４２Ａと背面部４２Ｂとが重なった状態で接着した後の状態を示す。図１０の展開図及び図１１の平面図に示されている一点鎖線は折目線である。
【００９３】
紙製ブランク４は、正面部４１、背面部４２Ａ、背面部４２Ｂ及びワンタッチ底構成部４３Ａ〜４３Ｄを有する。
【００９４】
正面部４１にある折目線４１ａ及び折目線４１ｂは、紙製ブランク４の裏側から窪んだ逆罫線となっている。
【００９５】
背面部４２Ａにある折目線４２ａは、紙製ブランク４の裏側から窪んだ逆罫線となっている。背面部４２Ｂにある折目線４２ｂは、紙製ブランク４の裏側から窪んだ逆罫線となっている。
【００９６】
折目線４１ａ及び折目線４１ｂは正面部４１において、弧を描く曲線となっている。折目線４２ａは背面部４２Ａにおいて弧を描く曲線となっている。折目線４２ｂは背面部４２Ｂにおいて弧を描く曲線となっている。
【００９７】
折目線４１ａの上端及び折目線４１ｂの上端は、正面部４１の上端に達している。折目線４２ａの上端は、背面部４２Ａの上端に達している。折目線４２ｂの上端は、背面部４２Ｂの上端に達している。
【００９８】
折目線４１ａの下端と折目線４２ａの下端は、正面部４１と背面部４２Ａとの間の折目線４１ｃ上でつながっている。折目線４１ｂの下端と折目線４２ｂの下端は、正面部４１と背面部４２Ｂとの間の折目線４１ｄ上でつながっている。折目線４１ｃ及び折目線４１ｄは収容部形成用折目線の役割を果たす。
【００９９】
正面部４１の折目線４１ａと折目線４１ｂとの間には、紐体を通すための穴４１ｆが形成されている。
【０１００】
背面部４２Ａの折目線４２ａと背面部４２Ａの左外縁４２ｃとの間には、紐体を通すための穴４２ｄが形成されている。背面部４２Ｂの右外縁４２ｅには、背面部４２Ａと背面部４２Ｂとを重ねて接着した時に、穴４２ｄと右外縁４２ｅとが重ならないようになっている切欠き４２ｆが形成されている。
【０１０１】
正面部４１の折目線４１ａと背面部４２Ａの折目線４２ａと挟まれた領域には、切り込み線４１ｇと切り込み線４２ｇが形成されている。図１０において、切り込み線４１ｇの上端は、正面部４１の上端に達しており、切り込み線４２ｇの上端は、背面部４２Ａの上端に達している。
【０１０２】
切り込み線４１ｇの下端と切り込み線４２ｇの下端とは、折目線４１ｃの延長線上で繋がっている。切り込み線４１ｇの下端及び切り込み線４２ｇの下端が繋がっている点と折目線４１ａの下端及び折目線４２ａの下端が繋がっている点との間には折目線４１ｈが形成されている。折目線４１ｈは、意匠用折目線の役割を果たす。
【０１０３】
正面部４１の折目線４１ａと背面部４２Ａの折目線４２ａと挟まれた領域は、折目線４１ａ、折目線４２ａ、切り込み線４１ｇ及び切り込み線４２ｇに囲まれた領域でもある。正面部４１の折目線４１ａと背面部４２Ａの折目線４２ａと挟まれた領域を分割するように折目線４１ｈが形成されている。
【０１０４】
正面部４１の折目線４１ｂと背面部４２Ｂの折目線４２ｂと挟まれた領域には、切り込み線４１ｉと切り込み線４２ｉが形成されている。図１０において、切り込み線４１ｉの上端は、正面部４１の上端に達しており、切り込み線４２ｉの上端は、背面部４２Ｂの上端に達している。
【０１０５】
切り込み線４１ｉの下端と切り込み線４２ｉの下端とは、折目線４１ｄの延長線上で繋がっている。切り込み線４１ｉの下端及び切り込み線４２ｉの下端が繋がっている点と折目線４１ｂの下端及び折目線４２ｂの下端が繋がっている点との間には折目線４１ｌが形成されている。折目線４１ｌは意匠用折目線の役割を果たす。
【０１０６】
正面部４１の折目線４１ｂと背面部４２Ｂの折目線４２ｂと挟まれた領域は、折目線４１ｂ、折目線４２ｂ、切り込み線４１ｉと切り込み線４２ｉに囲まれた領域でもある。正面部４１の折目線４１ｂと背面部４２Ｂの折目線４２ｂと挟まれた領域を分割するように折目線４１ｌが形成されている。
【０１０７】
図１０において、折目線４１ａと折目線４２ａは、折目線４１ｃ及びその延長線を対象の軸として、線対称となっている。図１０において、折目線４１ｂと折目線４２ｂは、折目線４１ｄ及びその延長線を対象の軸として、線対称となっている。
【０１０８】
この紙製ブランク４から化粧箱を組み立てる手順について以下に説明する。
【０１０９】
まず、折目線４１ｃと折目線４１ｈとが一体となった折目線、及び、折目線４１ｄと折目線４１ｌが一体となった折目線に沿って紙製ブランク４の表側が山折りとなるように折り曲げる。ワンタッチ底構成部４３Ａ〜４３Ｄは、紙製ブランク４の表側が山折りとなるように折り曲げられ、正面部４１と背面部４２Ａ及び背面部４２Ｂとの間に挟み込まれた状態となっている。
【０１１０】
次いで、背面部４２Ａと背面部４２Ｂとが重なった状態で接着する。
【０１１１】
次いで、図１１の矢印δに示すように、折目線４１ｃと折目線４１ｄとを互いに近づける方向に押圧する。矢印δに示す押圧によって、紙製ブランク４は筒体となる。筒体となる過程で、筒体の下の開口はワンタッチ底構成部４３Ａ〜４３Ｄで自動的に閉塞されるようになっている。
【０１１２】
折目線４１ｈを紙製ブランク４の表面側から押圧すると、正面部４１の折目線４２ａと背面部４２Ａの折目線４２ａに沿って、紙製ブランク４の表側が山折りとなるように折られる。
【０１１３】
同様に、折目線４１ｌを紙製ブランク４の表面側から押圧すると、正面部４１の折目線４１ｂと背面部４２Ｂの折目線４２ｂに沿って、紙製ブランク４の表側が山折りとなるように折られる。
【０１１４】
正面部４１の穴４１ｆと背面部４２Ａの穴４２ｄに紐を通して、穴４１ｆと穴４２ｄを互いに接近させるようにその紐を結ぶと、正面部４１の上端と背面部４２Ａ及び背面部４２Ｂが一体となった面の上端とが当接する。
【０１１５】
正面部４１の折目線４１ａと背面部４２Ａの折目線４２ａと挟まれた領域において、切り込み線４１ｇと切り込み線４２ｇとの間の隙間も閉塞し、正面部４１の折目線４１ｂと背面部４２Ｂの折目線４２ｂと挟まれた領域において、切り込み線４１ｉと切り込み線４２ｉとの間の隙間も閉塞する。
【０１１６】
以上の手順により、紙製ブランク４は図１２に示す化粧箱となる。尚、図１２では、正面部４１の穴４１ｆと背面部４２Ａの穴４２ｄに通した紐は省略した。
【０１１７】
組み立てた化粧箱において、正面部４１の折目線４１ａと背面部４２Ａの折目線４２ａと挟まれた領域は、逆罫線に挟まれた領域である。この正面部４１の折目線４１ａと背面部４２Ａの折目線４２ａと挟まれた領域は、へこみを有している。
【０１１８】
組み立てた化粧箱において、正面部４１の折目線４１ｂと背面部４２Ｂの折目線４２ｂと挟まれた領域は、逆罫線に挟まれた領域である。正面部４１の折目線４１ｂと背面部４２Ｂの折目線４２ｂと挟まれた領域は、へこみを有している。
【０１１９】
本発明の第五実施形態の紙製ブランク５について、図１３から図１４に基づいて説明する。図１３の展開図は、紙製ブランク５を表側から見たものである図１３の展開図に示されている一点鎖線は折目線である。
【０１２０】
紙製ブランク５は、第一面部５１、第二面部５２、第三面部５３、第四面部５４、第五面部５５、第六面部５６、及び、のり代部５７を有する。
【０１２１】
第一面部５１にある折目線５１ａ、折目線５１ｂ、折目線５１ｃ及び折目線５１ｄは、紙製ブランク５の裏側から窪んだ逆罫線となっている。
【０１２２】
第二面部５２にある折目線５２ａ、折目線５２ｂ、折目線５２ｃ及び折目線５２ｄは、紙製ブランク５の裏側から窪んだ逆罫線となっている。
【０１２３】
第三面部５３にある折目線５３ａ、折目線５３ｂ、折目線５３ｃ及び折目線５３ｄは、紙製ブランク５の裏側から窪んだ逆罫線となっている。
【０１２４】
第四面部５４にある折目線５４ａ、折目線５４ｂ、折目線５４ｃ及び折目線５４ｄは、紙製ブランク５の裏側から窪んだ逆罫線となっている。
【０１２５】
第五面部５５にある折目線５５ａ、折目線５５ｂ、折目線５５ｃ及び折目線５５ｄは、紙製ブランク５の裏側から窪んだ逆罫線となっている。
【０１２６】
第六面部５６にある折目線５６ａ、折目線５６ｂ、折目線５６ｃ及び折目線５６ｄは、紙製ブランク５の裏側から窪んだ逆罫線となっている。
【０１２７】
のり代部５７にある折目線５７ｂ及び折目線５７ｃは、紙製ブランク５の裏側から窪んだ逆罫線となっている。
【０１２８】
第一面部５１において、折目線５１ａ、折目線５１ｂ、折目線５１ｃ及び折目線５１ｄは弧を描く曲線となっている。第二面部５２〜第六面部５６の各折目線５２ａ〜５６ｄも同様の形状となっている。のり代部５７の折目線５７ｂ及び折目線５７ｃも弧を描く曲線となっている。
【０１２９】
折目線５１ａの上端及び折目線５１ｂの上端は、第一面部５１の上端に達している。折目線５１ｃの下端及び折目線５１ｄの下端は、第一面部５１の下端に達している。第二面部５２〜第六面部５６の各折目線５２ａ〜５６ｄも同様となっている。のり代部５７の折目線５７ｂの上端及び折目線５７ｃの下端はのり代部５７の外縁５７ｅに達している。
【０１３０】
図１３の第一面部５１及び第二面部５２において、折目線５１ａの下端と折目線５２ａの下端は、第一面部５１と第二面部５２との間の折目線５１ｅ上でつながっている。折目線５１ｄの上端と折目線５２ｄの上端も同様に、折目線５１ｅ上でつながっている。折目線５１ｂの下端と折目線５１ｃの上端は、第一面部の外縁５１ｍに達している。
【０１３１】
図１３の第二面部５２及び第三面部５３において、折目線５２ｂの下端と折目線５３ｂの下端は、第二面部５２と第三面部５３との間の折目線５２ｅ上でつながっている。折目線５２ｃの上端と折目線５３ｃの上端も同様に、折目線５２ｅ上でつながっている。
【０１３２】
図１３の第三面部５３及び第四面部５４、第四面部５４及び第五面部５５、並びに、第五面部５５及び第六面部５６においても、第二面部５２及び第三面部５３の場合と同様の折目線の配置となっている。
【０１３３】
図１３の第六面部５６及びのり代部５７において、折目線５６ｂの下端と折目線５７ｂの下端は、第六面部５６とのり代部５７との間の折目線５６ｅ上でつながっている。折目線５６ｃの上端と折目線５７ｃの上端も同様に、折目線５６ｅ上でつながっている。
【０１３４】
図１３の第一面部５１において、折目線５１ａと折目線５１ｂ、及び折目線５１ｃと折目線５１ｄとが、第一面部５１の幅方向に対向する位置となっている。第二面部５２〜第六面部５６の各折目線５２ａ〜５６ｄも同様に幅方向に対向する位置となっている。
【０１３５】
図１３の第一面部５１の上部及び下部には、それぞれ紐体を通すための一対の穴５１ｆが形成されている。第二面部５２から第六面部５６にも、同様にそれぞれ穴５２ｆ〜５６ｆが形成されている。
【０１３６】
第一面部５１の折目線５１ａと第二面部５２の折目線５２ａと挟まれた領域は、切り込み線５１ｇと切り込み線５２ｇが形成されている。図１３において、切り込み線５１ｇの上端は、第一面部５１の上端に達しており、切り込み線５２ｇの上端は、第二面部５２の上端に達している。
【０１３７】
切り込み線５１ｇの下端と切り込み線５２ｇの下端とは、折目線５１ｅの延長線上で繋がっている。切り込み線５１ｇの下端及び切り込み線５２ｇの下端が繋がっている点と折目線５１ａの下端及び折目線５２ａの下端が繋がっている点との間には折目線５１ｉが形成されている。折目線５１ｉは、意匠用折目線の役割を果たす。
【０１３８】
第一面部５１の折目線５１ａと第二面部５２の折目線５２ａと挟まれた領域は、折目線５１ａ、折目線５２ａ、切り込み線５１ｇ及び切り込み線５２ｇに囲まれた領域でもある。第一面部５１の折目線５１ａと第二面部５２の折目線５２ａと挟まれた領域を分割するように折目線５１ｉが形成されている。
【０１３９】
第二面部５２の折目線５２ｂと第三面部５３の折目線５３ｂとに挟まれた領域、第三面部５３の折目線５３ａと第四面部５４の折目線５４ａとに挟まれた領域、第四面部５４の折目線５４ｂと第五面部５５の折目線５５ｂとに挟まれた領域、第五面部５５の折目線５５ａと第六面部５６の折目線５６ａとに挟まれた領域、及び、のり代部５７の貼り加工を行った後の状態における第六面部５６の折目線５６ｂと第一面部５１の折目線５１ｂとに挟まれた領域についても、同様となっている。
【０１４０】
第一面部５１の折目線５１ｄと第二面部５２の折目線５２ｄと挟まれた領域は、切り込み線５１ｊと切り込み線５２ｊが形成されている。図１３において、切り込み線５１ｊの下端は、第一面部５１の下端に達しており、切り込み線５２ｊの下端は、第二面部５２の下端に達している。
【０１４１】
切り込み線５１ｊの上端と切り込み線５２ｊの上端とは、折目線５１ｅの延長線上で繋がっている。切り込み線５１ｊの上端及び切り込み線５２ｊの上端が繋がっている点と折目線５１ｄの上端と折目線５２ｄの上端とが繋がっている点との間には折目線５１ｌが形成されている。折目線５１ｌは、意匠用折目線の役割を果たす。
【０１４２】
第一面部５１の折目線５１ｄと第二面部５２の折目線５２ｄと挟まれた領域は、折目線５１ｄ、折目線５２ｄ、切り込み線５１ｊ及び切り込み線５２ｊに囲まれた領域でもある。第一面部５１の折目線５１ｄと第二面部５２の折目線５２ｄと挟まれた領域を分割するように折目線５１ｌが形成されている。
【０１４３】
第二面部５２の折目線５２ｃと第三面部５３の折目線５３ｃとに挟まれた領域、第三面部５３の折目線５３ｄと第四面部５４の折目線５４ｄとに挟まれた領域、第四面部５４の折目線５４ｃと第五面部５５の折目線５５ｃとに挟まれた領域、第五面部５５の折目線５５ｄと第六面部５６の折目線５６ｄとに挟まれた領域、及び、のり代部５７の貼り加工を行った後の状態における第六面部５６の折目線５６ｃと第一面部５１の折目線５１ｃとに挟まれた領域についても、同様となっている。
【０１４４】
図１３において、折目線５１ａと折目線５２ａは、折目線５１ｅ及びその延長線を対象の軸として、線対称となっている。折目線５２ｂと折目線５３ｂ、折目線５３ａと折目線５４ａ、折目線５４ｂと折目線５５ｂ、折目線５５ａと折目線５６ａ、のり代部５７の貼り加工を行った後の状態における折目線５６ｂと折目線５１ｂも同様に、線対称となっている。
【０１４５】
図１３において、折目線５１ｄと折目線５２ｄは、折目線５１ｅ及びその延長線を対象の軸として、線対称となっている。折目線５２ｃと折目線５３ｃ、折目線５３ｄと折目線５４ｄ、折目線５４ｃと折目線５５ｃ、折目線５５ｄと折目線５６ｄ、のり代部５７の貼り加工を行った後の状態における折目線５６ｃと折目線５１ｃも同様に、線対称となっている。
【０１４６】
この紙製ブランク５から化粧箱を組み立てる手順について以下に説明する。
【０１４７】
折目線５１ｅ〜５６ｅを、紙製ブランク５の表側が山折りとなるように折り曲げて、第一面部５１とのり代部５７とが重なった状態で貼り加工を行う。これにより、紙製ブランク５は筒体となる。
【０１４８】
次いで、折目線５１ｉ〜折目線５６ｉを紙製ブランク５の表面側から押圧すると、それぞれ、折目線５１ａと折目線５２ａ、折目線５２ｂと折目線５３ｂ、折目線５３ａと折目線５４ａ、折目線５４ｂと折目線５５ｂ、折目線５５ａと折目線５６ａ及び折目線５６ｂと折目線５１ｂの各折目線に沿って、紙製ブランク５の表側が山折りとなるように折られる。
【０１４９】
折目線５１ｉ〜折目線５６ｉは、紙製ブランク５の表側が谷折となるように折られる。第一面部５１〜第六面部５６の上端側の穴５１ｆ〜５６ｆに紐を通して、筒体の上の開口の中央に集合させるようにその紐を結ぶことによって、筒体の上の開口を塞ぐことができる。
【０１５０】
次いで、折目線５１ｌ〜折目線５６ｌを紙製ブランク５の表面側から押圧すると、それぞれ、折目線５１ｄと折目線５２ｄ、折目線５２ｃと折目線５３ｃ、折目線５３ｄと折目線５４ｄ、折目線５４ｃと折目線５５ｃ、折目線５５ｄと折目線５６ｄ及び折目線５６ｃと折目線５１ｃの各折目線に沿って、紙製ブランク５の表側が山折りとなるように折られる。
【０１５１】
折目線５１ｌ〜折目線５６ｌは、紙製ブランク５の表側が谷折となるように折られる。第一面部５１〜第六面部５６の下端側の穴５１ｆ〜５６ｆに紐を通して、筒体の下の開口の中央に集合させるようにその紐を結ぶことによって、筒体の下の開口を塞ぐことができる。
【０１５２】
以上の手順により、紙製ブランク５は図１４に示す化粧箱となる。尚、図１４では、穴５１ｆ〜５６ｆに通した紐は省略した。
【０１５３】
組み立てた化粧箱において、第一面部５１の折目線５１ａと第二面部５２の折目線５２ａと挟まれた領域は、逆罫線に挟まれた領域である。第一面部５１の折目線５１ａと第二面部５２の折目線５２ａと挟まれた領域は、へこみを有している。
【０１５４】
第二面部５２の折目線５２ｂと第三面部５３の折目線５３ｂと挟まれた領域、第三面部５３の折目線５３ａと第四面部５４の折目線５４ａと挟まれた領域、第四面部５４の折目線５４ｂと第五面部５５の折目線５５ｂと挟まれた領域、第五面部５５の折目線５５ａと第六面部５６の折目線５６ａと挟まれた領域、及び、のり代部５７の貼り加工を行った後の状態における第六面部５６の折目線５６ｂと第一面部５１の折目線５１ｂと挟まれた領域についても、同様となっている。
【０１５５】
組み立てた化粧箱において、第一面部５１の折目線５１ｄと第二面部５２の折目線５２ｄと挟まれた領域は、逆罫線に挟まれた領域である。第一面部５１の折目線５１ｄと第二面部５２の折目線５２ｄと挟まれた領域は、へこみを有している。
【０１５６】
第二面部５２の折目線５２ｃと第三面部５３の折目線５３ｃと挟まれた領域、第三面部５３の折目線５３ｄと第四面部５４の折目線５４ｄと挟まれた領域、第四面部５４の折目線５４ｃと第五面部５５の折目線５５ｃと挟まれた領域、第五面部５５の折目線５５ｄと第六面部５６の折目線５６ｄと挟まれた領域、及び、のり代部５７の貼り加工を行った後の状態における第六面部５６の折目線５６ｃと第一面部５１の折目線５１ｃと挟まれた領域についても、同様となっている。
【０１５７】
本発明の第六実施形態の紙製ブランク６について、図１５から図１６に基づいて説明する。図１５の展開図は、紙製ブランク６を表側から見たものである。図１５の展開図に示されている一点鎖線は折目線である。図１５の紙製ブランク６の展開図を組み立てると図１６の斜視図に示す蓋体の化粧箱となる。
【０１５８】
紙製ブランク６を組み立ててできる蓋体の上面６１は、折目線６１ａ〜折目線６１ｈに囲まれている。折目線６１ａ〜折目線６１ｈは、それぞれ紙製ブランク６の裏側から窪んだ逆罫線である。折目線６１ａ〜折目線６１ｈは、収容部形成用折目線の役割を果たす。連続する折目線６１ａ〜折目線６１ｄ、及び、連続する折目線６１ｅ〜折目線６１ｈは、それぞれ、逆罫線の曲線となる。
【０１５９】
また、蓋体の上面６１の中心から放射状に折目線６１ｉ〜６１ｌが形成されている。折目線６１ｉ〜折目線６１ｌは、それぞれ紙製ブランク６の裏側から窪んだ逆罫線である。折目線６１ｉ〜折目線６１ｌは、意匠用折目線の役割を果たす。
【０１６０】
さらに、蓋体の上面６１の中心から放射状に折目線６１ｍ〜６１ｐが形成されている。折目線６１ｍ〜折目線６１ｐは、それぞれ紙製ブランク６の表側から窪んだ正罫線である。折目線６１ｍ〜折目線６１ｐは、意匠用折目線の役割を果たす。
【０１６１】
連続する折目線６１ａ〜折目線６１ｄと連続する折目線６１ｅ〜折目線６１ｈとの挟まれた領域は、正罫線である折目線６１ｍ〜折目線６１ｐで分割されている。
【０１６２】
逆罫線の折目線６１ａ、折目線６１ｂ、折目線６１ｉ及び折目線６１ｊで囲まれた領域は、正罫線である折目線６１ｍで分割されている。
【０１６３】
逆罫線の折目線６１ｃ、折目線６１ｄ、折目線６１ｊ及び折目線６１ｋで囲まれた領域は、正罫線である折目線６１ｎで分割されている。
【０１６４】
逆罫線の折目線６１ｅ、折目線６１ｆ、折目線６１ｋ及び折目線６１ｌで囲まれた領域は、正罫線である折目線６１ｏで分割されている。
【０１６５】
逆罫線の折目線６１ｇ、折目線６１ｈ、折目線６１ｌ及び折目線６１ｉで囲まれた領域は、正罫線である折目線６１ｐで分割されている。
【０１６６】
この紙製ブランク６の展開図を組み立てる過程で、逆罫線である折目線６１ａ〜折目線６１ｈに沿って紙製ブランク６の表側が山折りとなるように折られる。
【０１６７】
この紙製ブランク６の展開図を組み立てる過程で、蓋体の上面６１の折目線６１ｍ〜６１ｐを押圧することによって、逆罫線である折目線６１ｉ〜折目線６１ｌに沿って紙製ブランク６の表側が山折りとなるように折られ、正罫線である折目線６１ｍ〜折目線６１ｐに沿って紙製ブランク６の表側が谷折りとなるように折られる。
【０１６８】
図１６に示すように、この紙製ブランク６を組み立てた化粧箱である蓋体の上面６１は、逆罫線である折目線６１ａ〜折目線６１ｄと逆罫線である折目線６１ｅ〜折目線６１ｈとの挟まれた領域である。
【０１６９】
蓋体の上面６１は、中央付近が盛り上がり、この中央付近から逆罫線である折目線６１ｉ〜折目線６１ｌが山折りとなって放射状に延び、この中央付近から正罫線である折目線６１ｍ〜折目線６１ｐが谷折りとなって放射状に延びている。
【０１７０】
従って、逆罫線に挟まれた領域である蓋体の上面６１は、へこみ又はふくらみを有する。
【０１７１】
正罫線である折目線６１ｍが谷折となっているので、逆罫線の折目線６１ａ、折目線６１ｂ、折目線６１ｉ及び折目線６１ｊで囲まれた領域は、へこみを有する。同様に折目線６１ｃ、折目線６１ｄ、折目線６１ｊ及び折目線６１ｋで囲まれた領域、折目線６１ｅ、折目線６１ｆ、折目線６１ｋ及び折目線６１ｌで囲まれた領域、並びに、折目線６１ｇ、折目線６１ｈ、折目線６１ｌ及び折目線６１ｉで囲まれた領域もへこみを有する。
【０１７２】
本発明の第七実施形態の紙製ブランク７について、図１７から図１８に基づいて説明する。図１７の展開図は、紙製ブランク７を表側から見たものである。図１７の展開図に示されている一点鎖線は折目線である。図１７の紙製ブランク７の展開図を組み立てると図１８の斜視図に示す化粧箱となる。
【０１７３】
紙製ブランク７を組み立ててできる化粧箱の壁部の上面７１は、折目線７１ａと折目線７１ｂに挟まれている。折目線７１ａと折目線７１ｂは、紙製ブランク７の裏側から窪んだ逆罫線である。折目線７１ａと折目線７１ｂは、収容部形成用折目線の役割を果たすとともに意匠用折目線の役割を果たす。
【０１７４】
折目線７１ａと折目線７１ｂは弧状の曲線である。
【０１７５】
この紙製ブランク７の展開図を組み立てる過程で、逆罫線である折目線７１ａと折目線７１ｂに沿って紙製ブランク７の表側が山折りとなるように折られる。
【０１７６】
図１８に示すように、この紙製ブランク７を組み立てた化粧箱の壁部の上面７１は、折目線７１ａと折目線７１ｂに挟まれた領域である。
【０１７７】
壁部の上面７１は、折目線７１ａと折目線７１ｂが最も近接した位置が壁部の立設方向に高くなっており、その位置から化粧箱の角に向かって壁部の立設方向に漸次低くなっていくようになっている。
【０１７８】
従って、逆罫線に挟まれた領域である壁部の上面７１は、ふくらみを有する。
【０１７９】
上記第一実施形態では、筒体の上下の開口の閉塞が、差し込み式のフタで閉塞される場合について説明したがこれに限定されることはない。例えば、地獄底構成部、ワンタッチ底構成部等の別の方法で閉塞されていてもよい。
【０１８０】
上記第二実施形態及び第三実施形態では、筒体の下の開口の閉塞が、地獄底構成部で閉塞される場合について説明したがこれに限定されることはない。例えば、差し込み式のフタ、ワンタッチ底構成部等の別の方法で閉塞されていてもよい。
【０１８１】
上記第四実施形態では、筒体の下の開口の閉塞が、ワンタッチ底構成部で閉塞される場合について説明したがこれに限定されることはない。例えば、差し込み式のフタ、地獄底構成部等の別の方法で閉塞されていてもよい。
【０１８２】
上記第四実施形態及び第五実施形態では、逆罫線及び紙製ブランク７の外縁に囲まれた領域を分割するように形成された折目線４１ｈ，４１ｌ，５１ｉ〜５６ｉ及び５１ｌ〜５６ｌについて説明した。これらの折目線は、正罫線に限定されることはなく。例えば、ミシン線等を押圧することで谷折可能な折目線であってもよい。
【０１８３】
上記第五実施形態では、紙製ブランク５は、第一面部５１〜第六面部５６を有し、横断面が六角形の筒体となる場合を説明したが、これに限定されることはない。例えば、横断面が三角形、四角形等の多角形の筒体となってもよい。
【符号の説明】
【０１８４】
１〜７    紙製ブランク
１１    正面部
１１ａ，１１ｂ    折目線
１２    背面部
１２ａ，１２ｂ    折目線
１３，１４    側面部
１３ａ，１４ａ    中央折目線
１５    上面部
１６    底面部
１７Ａ，１７Ｂ    フラップ
１８    のり代部
２１    正面部
２１ａ，２１ｂ    折目線
２２    背面部
２２ａ，２２ｂ    折目線
２３，２４    側面部
２３ａ，２４ｂ    折目線
２３ｃ，２４ｃ    中央折目線
２５    上面部
２６Ａ〜２６Ｄ    地獄底構成部
２７Ａ，２７Ｂ    フラップ
２８    のり代部
２９Ａ，２９Ｂ    面取部
３１    正面部
３１ａ〜３１ｆ    折目線
３１ｇ    中央折目線
３２Ａ，３２Ｂ    背面部
３２ａ〜３２ｆ    折目線
３２ｇ    中央折目線
３３    側面部
３３ａ〜３３ｇ    折目線
３４    側面部
３４ａ〜３４ｇ    折目線
３５Ａ、３５Ｂ，３５Ｃ    取っ手部
３６Ａ〜３６Ｅ    地獄底構成部
３７Ａ〜３７Ｄ    のり代部
４１    正面部
４１ａ〜４１ｄ、４１ｈ、４１ｌ    折目線
４１ｆ    穴
４１ｇ，４１ｉ    切り込み線
４２Ａ，４２Ｂ    背面部
４２ａ，４２ｂ    折目線
４２ｃ    左外縁
４２ｄ    穴
４２ｅ    右外縁
４２ｆ    切欠き
４２ｇ，４２ｉ    切り込み線
４３Ａ〜４３Ｄ    ワンタッチ底構成部
５１    第一面部
５１ａ〜５１ｅ，５１ｉ，５１ｌ    折目線
５１ｆ    穴
５１ｇ，５１ｈ，５１ｊ，５１ｋ    切り込み線
５１ｍ    外縁
５２    第二面部
５２ａ〜５２ｅ，５２ｉ，５２ｌ    折目線
５２ｆ    穴
５２ｇ，５２ｈ，５２ｊ，５２ｋ    切り込み線
５３    第三面部
５３ａ〜５３ｅ，５３ｉ，５３ｌ    折目線
５３ｆ    穴
５３ｇ，５３ｈ，５３ｊ，５３ｋ    切り込み線
５４    第四面部
５４ａ〜５４ｅ，５４ｉ，５４ｌ    折目線
５４ｆ    穴
５４ｇ，５４ｈ，５４ｊ，５４ｋ    切り込み線
５５    第五面部
５５ａ〜５５ｅ，５５ｉ，５５ｌ    折目線
５５ｆ    穴
５５ｇ，５５ｈ，５５ｊ，５５ｋ    切り込み線
５６    第六面部
５６ａ〜５６ｅ，５６ｉ，５６ｌ    折目線
５６ｆ    穴
５６ｇ，５６ｈ，５６ｊ，５６ｋ    切り込み線
５７    のり代部
５７ｂ，５７ｃ    折目線
５７ｅ    外縁
６１    蓋体の上面
６１ａ〜６１ｐ    折目線
７１    壁部の上面
７１ａ，７１ｂ    折目線
【図１】
2019006420.tif 000003
【図２】
2019006420.tif 000004
【図３】
2019006420.tif 000005
【図４】
2019006420.tif 000006
【図５】
2019006420.tif 000007
【図６】
2019006420.tif 000008
【図７】
2019006420.tif 000009
【図８】
2019006420.tif 000010
【図９】
2019006420.tif 000011
【図１０】
2019006420.tif 000012
【図１１】
2019006420.tif 000013
【図１２】
2019006420.tif 000014
【図１３】
2019006420.tif 000015
【図１４】
2019006420.tif 000016
【図１５】
2019006420.tif 000017
【図１６】
2019006420.tif 000018
【図１７】
2019006420.tif 000019
【図１８】
2019006420.tif 000020
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
組み立てて化粧箱にすることができる板紙の紙製ブランクであって、
紙製ブランクの裏側から窪んだ逆罫線を有し、
この逆罫線は曲線であり、
その紙製ブランクを組み立てた化粧箱は、その逆罫線に沿って紙製ブランクの表側が山折りとなるように折られることが可能となっており、
紙製ブランクを組み立てた化粧箱の逆罫線に挟まれた領域がへこみ又はふくらみを有することを特徴とする紙製ブランク。
【請求項２】
組み立てて化粧箱にすることができる板紙の紙製ブランクであって、
紙製ブランクの裏側から窪んだ逆罫線を有し、
この逆罫線は曲線であり、
その紙製ブランクを組み立てた化粧箱は、その逆罫線に沿って紙製ブランクの表側が山折りとなるように折られることが可能となっており、
組み立てた化粧箱の逆罫線に挟まれた領域が湾曲していることを特徴とする紙製ブランク。
【請求項３】
組み立てて化粧箱にすることができる板紙の紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線に挟まれた領域を分割するように紙製ブランクの表側から窪んだ正罫線が形成され、
その正罫線に沿って紙製ブランクの表側が谷折りとなるように折られることによって、組み立てた化粧箱の逆罫線に挟まれた領域がへこみを有することを特徴とする紙製ブランク。
【請求項４】
組み立てて化粧箱にすることができる板紙の紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線に囲まれた領域を分割するように紙製ブランクの表側から窪んだ正罫線が形成され、
その正罫線に沿って紙製ブランクの表側が谷折りとなるように折られることによって、組み立てた化粧箱の逆罫線に囲まれた領域がへこみを有することを特徴とする紙製ブランク。
【請求項５】
組み立てて化粧箱にすることができる板紙の紙製ブランクであって、
紙製ブランクの裏側から窪んだ逆罫線を有し、
その紙製ブランクを組み立てた化粧箱は、その逆罫線に沿って紙製ブランクの表側が山折りとなるように折られることが可能となっており、
この逆罫線及び紙製ブランクの外縁に囲まれた領域を分割するように紙製ブランクの表側から窪んだ正罫線が形成され、
その正罫線に沿って紙製ブランクの表側が谷折りとなるように折られることによって、組み立てた化粧箱の逆罫線及び紙製ブランクの外縁に囲まれた領域がへこみを有することを特徴とする紙製ブランク。
【手続補正２】
【補正対象書類名】明細書
【補正対象項目名】全文
【補正方法】変更
【補正の内容】
【発明の詳細な説明】
【技術分野】
【０００１】
本発明は、組み立てて化粧箱にすることができる板紙の紙製ブランクに関するものであり、特に、デザイン性に優れた化粧箱を容易に組み立てることができる紙製ブランクに関するものである。
【背景技術】
【０００２】
収容部形成用折目線が形成されており、その収容部形成用折目線に沿って折り曲げることによって、組み立てて化粧箱にすることができる紙製ブランクがある。
【０００３】
一般的に板紙の紙製ブランクは、紙製ブランクの表面側が山折りとなるように折り曲げることで化粧箱を組み立てるようになっている。この紙製ブランクに収容部形成用折目線として形成される罫線は、紙製ブランクの表面側が窪んだ正罫線である。
【０００４】
紙製ブランクの収容部形成用折目線が正罫線である理由は、折目線に沿って折り曲げた際に、紙製ブランクの表面の割れの発生を防ぐためである。
【０００５】
紙製ブランクに正罫線の収容部形成用折目線を形成したものとして、特許文献１に示すものがある。
【先行技術文献】
【特許文献】
【０００６】
【特許文献１】特開２０１５−２１４１１６号公報
【発明の概要】
【発明が解決しようとする課題】
【０００７】
組み立てた化粧箱は、表面にふくらみやへこみを形成することによって、化粧箱の意匠性を向上させることができる。このような表面のふくらみやへこみを形成するための意匠用折目線を紙製ブランクに形成することとなる。
【０００８】
紙製ブランクは、まず収容部形成用折目線で折り曲げて、化粧箱の収容部を形成した形状となるように組み立てられる。次いで、紙製ブランクの表面側の所定の位置を押圧することによって、意匠用折目線で折れ曲がり、化粧箱の表面にへこみやふくらみを形成することができる。
【０００９】
しかし、この意匠用折目線が紙製ブランクの表面側が窪んだ正罫線であって、表面側が山折りとなるように折り曲げる場合、谷折りとなっている裏面側に正罫線に沿って盛り上がりが生じる。この裏面側の盛り上がりが表面側の山折りの抵抗となる。そのため、化粧箱の表面にへこみやふくらみを形成するために、紙製ブランクの表面側の所定の位置を強く押圧する必要があるという問題がある。
【００１０】
また、一度正罫線で表面側の山折りとなるように折れ曲がったとしても、この裏面側の盛り上がりが、折れ曲がりを元に戻そうとする方向に反発させる。そのため、化粧箱の表面にへこみやふくらみを形成して維持できないという問題もある。
【００１１】
そこで、上記点より本発明は、デザイン性に優れており、かつ、その形状を維持できる化粧箱を容易に組み立てることができる板紙の紙製ブランクを提供することを目的とする。
【課題を解決するための手段】
【００１２】
上記課題を解決するため、請求項１の紙製ブランクは、組み立てて化粧箱にすることができる板紙の紙製ブランクであって、紙製ブランクの裏側から窪んだ逆罫線を有し、この逆罫線は曲線であり、その紙製ブランクを組み立てた化粧箱は、その逆罫線に沿って紙製ブランクの表側が山折りとなるように折られることが可能となっており、紙製ブランクを組み立てた化粧箱の逆罫線に挟まれた領域がへこみ又はふくらみを有する。
【００１３】
請求項１の紙製ブランクによれば、逆罫線に挟まれた領域を小さな力で押圧するだけで、逆罫線に沿って折り曲げられ、その逆罫線に挟まれた領域に容易にへこみ又はふくらみを形成することができる。また、逆罫線に沿って紙製ブランクの表側が山折りとなるように折られているので、折れ曲がった状態が維持されやすく、化粧箱の表面にへこみやふくらみを形成して維持することができる。
【００１４】
請求項２の紙製ブランクは、組み立てて化粧箱にすることができる板紙の紙製ブランクであって、紙製ブランクの裏側から窪んだ逆罫線を有し、この逆罫線は曲線であり、その紙製ブランクを組み立てた化粧箱は、その逆罫線に沿って紙製ブランクの表側が山折りとなるように折られることが可能となっており、組み立てた化粧箱の逆罫線に挟まれた領域が湾曲している。
【００１５】
請求項２の紙製ブランクによれば、逆罫線に挟まれた領域を小さな力で押圧するだけで、逆罫線に沿って折り曲げられ、その逆罫線に挟まれた領域に容易に湾曲を形成することができる。また、逆罫線に沿って紙製ブランクの表側が山折りとなるように折られているので、折れ曲がった状態が維持されやすく、化粧箱の表面に湾曲を形成して維持することができる。
【００１６】
請求項３の紙製ブランクは、組み立てて化粧箱にすることができる板紙の紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線に挟まれた領域を分割するように紙製ブランクの表側から窪んだ正罫線が形成され、その正罫線に沿って紙製ブランクの表側が谷折りとなるように折られることによって、組み立てた化粧箱の逆罫線に挟まれた領域がへこみを有する。
【００１７】
請求項３の紙製ブランクによれば、逆罫線に挟まれた領域を小さな力で押圧するだけで、逆罫線に沿って折り曲げられ、その逆罫線に挟まれた領域に容易にへこみを形成することができる。逆罫線に挟まれた領域を分割するように紙製ブランクの表側から窪んだ正罫線が形成されているので、この正罫線を押圧すると、より小さな力でその逆罫線に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【００１８】
請求項４の紙製ブランクは、組み立てて化粧箱にすることができる板紙の紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線に囲まれた領域を分割するように紙製ブランクの表側から窪んだ正罫線が形成され、その正罫線に沿って紙製ブランクの表側が谷折りとなるように折られることによって、組み立てた化粧箱の逆罫線に囲まれた領域がへこみを有する。
【００１９】
請求項４の紙製ブランクによれば、逆罫線に囲まれた領域を小さな力で押圧するだけで、逆罫線に沿って折り曲げられ、その逆罫線に挟まれた領域に容易にへこみを形成することができる。逆罫線に囲まれた領域を分割するように紙製ブランクの表側から窪んだ正罫線が形成されているので、この正罫線を押圧すると、より小さな力でその逆罫線に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【００２０】
請求項５の紙製ブランクは、組み立てて化粧箱にすることができる板紙の紙製ブランクであって、紙製ブランクの裏側から窪んだ逆罫線を有し、その紙製ブランクを組み立てた化粧箱は、その逆罫線に沿って紙製ブランクの表側が山折りとなるように折られることが可能となっており、この逆罫線及び紙製ブランクの外縁に囲まれた領域を分割するように紙製ブランクの表側から窪んだ正罫線が形成され、その正罫線に沿って紙製ブランクの表側が谷折りとなるように折られることによって、組み立てた化粧箱の逆罫線及び紙製ブランクの外縁に囲まれた領域がへこみを有する。
【００２１】
請求項５の紙製ブランクによれば、逆罫線及びブランクの外縁に挟まれた領域を小さな力で押圧するだけで、逆罫線に沿って折り曲げられ、その逆罫線に挟まれた領域に容易にへこみを形成することができる。逆罫線及びブランクの外縁に囲まれた領域を分割するように紙製ブランクの表側から窪んだ正罫線が形成されているので、この正罫線を押圧すると、より小さな力でその逆罫線及びブランクの外縁に挟まれた領域に容易にへこみを形成することができる。また、逆罫線に沿って紙製ブランクの表側が山折りとなるように折られているので、折れ曲がった状態が維持されやすく、化粧箱の表面にへこみを形成して維持することができる。
【発明の効果】
【００２２】
請求項１乃至５のいずれかの紙製ブランクは、デザイン性に優れており、かつ、その形状を維持できる化粧箱を容易に組み立てることができる。
【図面の簡単な説明】
【００２３】
【図１】本発明の第一実施形態の紙製ブランクの展開図である。
【図２】図１の紙製ブランクを組み立てる途中の平面図である。
【図３】図１の紙製ブランクを組み立てた化粧箱の斜視図である。
【図４】本発明の第二実施形態の紙製ブランクの展開図である。
【図５】図４の紙製ブランクを組み立てる途中の平面図である。
【図６】図４の紙製ブランクを組み立てた化粧箱の斜視図である。
【図７】本発明の第三実施形態の紙製ブランクの展開図である。
【図８】図７の紙製ブランクを組み立てる途中の平面図である。
【図９】図７の紙製ブランクを組み立てた化粧箱の斜視図である。
【図１０】本発明の第四実施形態の紙製ブランクの展開図である。
【図１１】図１０の紙製ブランクを組み立てる途中の平面図である。
【図１２】図１０の紙製ブランクを組み立てた化粧箱の斜視図である。
【図１３】本発明の第五実施形態の紙製ブランクの展開図である。
【図１４】図１３の紙製ブランクを組み立てた化粧箱の斜視図である。
【図１５】本発明の第六実施形態の紙製ブランクの展開図である。
【図１６】図１５の紙製ブランクを組み立てた化粧箱の斜視図である。
【図１７】本発明の第七実施形態の紙製ブランクの展開図である。
【図１８】図１７の紙製ブランクを組み立てた化粧箱の斜視図である。
【発明を実施するための形態】
【００２４】
以下、本発明の実施形態について説明する。各実施形態の紙製ブランクは板紙からなる。
紙製ブランクの厚さは０．２ｍｍ〜０．８ｍｍの範囲である。紙製ブランクを組み立てた化粧箱は、包装済みの商品を入れる紙箱である。
【００２５】
本発明の第一実施形態の紙製ブランク１について、図１から図３に基づいて説明する。図１の展開図は、紙製ブランク１を表側から見たものである。図２は、後述するのり代部１８の貼り加工を行った後の状態を示す。紙製ブランク１は、図２の状態で納品される場合もある。図１の展開図及び図２の平面図に示されている一点鎖線は折目線である。
【００２６】
紙製ブランク１は、正面部１１、背面部１２、側面部１３、側面部１４、上面部１５、底面部１６、フラップ１７Ａ、フラップ１７Ｂ、及び、のり代部１８を有する。
【００２７】
正面部１１と側面部１３との間にある折目線１１ａは、紙製ブランク１の裏側から窪んだ逆罫線となっている。折目線１１ａは、収容部形成用折目線の役割を果たすと同時に意匠用折目線の役割も果たす。
【００２８】
正面部１１と側面部１４との間にある折目線１１ｂは、紙製ブランク１の裏側から窪んだ逆罫線となっている。折目線１１ｂは、収容部形成用折目線の役割を果たすと同時に意匠用折目線の役割も果たす。
【００２９】
背面部１２とのり代部１８との間にある折目線１２ａは、紙製ブランク１の裏側から窪んだ逆罫線となっている。折目線１２ａは、収容部形成用折目線の役割を果たすと同時に意匠用折目線の役割も果たす。
【００３０】
背面部１２とのり代部１８との間にある折目線１２ａは、紙製ブランク１の裏側から窪んだ逆罫線となっている。折目線１２ｂは、収容部形成用折目線の役割を果たすと同時に意匠用折目線の役割も果たす。
【００３１】
折目線１１ａ、折目線１１ｂ、折目線１２ａ及び折目線１２ｂは、曲線となっている。
図１の正面部１１において、折目線１１ａと折目線１１ｂは、線対称となっている。図１の背面部１２において、折目線１２ａと折目線１２ｂは、線対称となっている。図１の側面部１３において、折目線１１ａと折目線１２ａは、線対称となっている。
【００３２】
側面部１３は、中央折目線１３ａを有する。側面部１４は、中央折目線１４ａを有する。
【００３３】
この紙製ブランク１から化粧箱を組み立てる手順について以下に説明する。
【００３４】
まず、中央折目線１３ａ及び中央折目線１４ａに沿って紙製ブランク１の表側が山折りとなるように折り曲げる。
【００３５】
次いで、側面部１４の中央折目線１４ａで折れ曲がった部分とのり代部１８とが重なった状態で接着する。これにより、図２の平面図に示す状態となる。図３の状態では、同一形状の折目線１１ａと折目線１２ａが重なっており、同一形状の折目線１１ｂと折目線１２ｂが重なっている。
【００３６】
次いで、図２の矢印αに示すように、中央折目線１３ａと中央折目線１４ａとを互いに近づける方向に押圧する。矢印αに示す押圧によって、折目線１１ａ、折目線１１ｂ、折目線１２ａ及び折目線１２ｂは、紙製ブランク１の裏側から窪んだ逆罫線となっているので、容易に折れ曲がるようになっている。
【００３７】
矢印αに示す押圧によって、側面部１３では中央折目線１３ａが折れ曲がっていない状態に戻り、側面部１４では中央折目線１４ａの折れ曲がっていない状態に戻る。
【００３８】
また、矢印αに示す押圧によって、図２では重なった状態だった正面部１１と背面部１２とが離間していく。この離間していく過程で、折目線１１ａ、折目線１１ｂ、折目線１２ａ及び折目線１２ｂに沿って紙製ブランク１の表側が山折りとなるように折られて、紙製ブランク１は筒体となる。
【００３９】
最後に、筒体の上の開口はフラップ１７Ａ、フラップ１７Ａ及び上面部１５で閉塞され、筒体の下の開口はフラップ１７Ｂ、フラップ１７Ｂ及び底面部１６で閉塞されることで、図３に示す組み立てた化粧箱となる。
【００４０】
組み立てた化粧箱において、正面部１１は、逆罫線である折目線１１ａと折目線１１ｂとに挟まれた領域である。正面部１１は、折目線１１ａと折目線１１ｂとが互いに最も離れた部分が最もへこんでおり、折目線１１ａと折目線１１ｂとが互いに最も近づいた部分が最もふくらんでいる。つまり、正面部１１は、へこみとふくらみを有している。
【００４１】
組み立てた化粧箱において、背面部１２は、逆罫線である折目線１２ａと折目線１２ｂとに挟まれた領域である。背面部１２は、折目線１２ａと折目線１２ｂとが互いに最も離れた部分が最もへこんでおり、折目線１２ａと折目線１２ｂとが互いに最も近づいた部分が最もふくらんでいる。つまり、背面部１２は、へこみとふくらみを有している。
【００４２】
組み立てた化粧箱において、接着されて一体となった側面部１４とのり代部１８は、逆罫線である折目線１１ｂと折目線１２ｂとに挟まれた領域である。接着されて一体となった側面部１４とのり代部１８は、折目線１１ｂと折目線１２ｂとが互いに最も離れた部分が最もへこんでおり、折目線１１ｂと折目線１２ｂとが互いに最も近づいた部分が最もふくらんでいる。つまり、接着されて一体となった側面部１４とのり代部１８は、へこみとふくらみを有している。
【００４３】
組み立てた化粧箱において、側面部１３は、逆罫線である折目線１１ａと折目線１２ａとに挟まれた領域である。側面部１３は、折目線１１ａと折目線１２ａとが互いに最も離れた部分が最もへこんでおり、折目線１１ａと折目線１２aとが互いに最も近づいた部分が最もふくらんでいる。つまり、側面部１４は、へこみとふくらみを有している。
【００４４】
本発明の第二実施形態の紙製ブランク２について、図４から図６に基づいて説明する。図４の展開図は、紙製ブランク２を表側から見たものである。図５は、後述するのり代部２８の貼り加工を行った後の状態を示す。紙製ブランク２は、図５の状態で納品される場合もある。図４の展開図及び図５の平面図に示されている一点鎖線は折目線である。
【００４５】
紙製ブランク２は、正面部２１、背面部２２、側面部２３、側面部２４、上面部２５、地獄底構成部２６Ａ〜２６Ｄ、フラップ２７Ａ、フラップ２７Ｂ、のり代部２８、面取部２９Ａ、及び、面取部２９Ｂを有する。
【００４６】
正面部２１と側面部２３との間にある二本の折目線２１ａ、折目線２３ａは、紙製ブランク２の裏側から窪んだ逆罫線となっている。折目線２１ａ、折目線２３ａは、収容部形成用折目線の役割を果たすと同時に意匠用折目線の役割も果たす。
【００４７】
正面部２１と側面部２４との間にある二本の折目線２１ｂ、折目線２４ｂは、紙製ブランク２の裏側から窪んだ逆罫線となっている。折目線２１ｂ、折目線２４ｂは、収容部形成用折目線の役割を果たすと同時に意匠用折目線の役割も果たす。
【００４８】
折目線２１ａ、２３ａに囲まれた領域及び折目線２１ｂ、折目線２４ｂに囲まれた領域は、それぞれ面取部２９Ａ及び面取部２９Ｂである。
【００４９】
折目線２１ａ、折目線２３ａ、折目線２１ｂ及び折目線２４ｂは、曲線となっている。図４の正面部２１において、折目線２１ａと折目線２１ｂは、線対称となっている。図４の面取部２９Ａにおいて、折目線２１ａと折目線２３ａは、線対称となっている。図４の面取部２９Ｂにおいて、折目線２１ｂと折目線２４ｂは、線対称となっている。
【００５０】
側面部２３は、中央折目線２３ｃを有する。側面部２４は、中央折目線２４ｃを有する。
【００５１】
この紙製ブランク２から化粧箱を組み立てる手順について以下に説明する。
【００５２】
まず、中央折目線２３ｃ及び中央折目線２４ｃに沿って紙製ブランク２の表側が山折りとなるように折り曲げる。
【００５３】
次いで、側面部２４の中央折目線２４ｃで折れ曲がった部分とのり代部２８とが重なった状態で接着する。これにより、図５の平面図に示す状態となる。
【００５４】
次いで、図５の矢印βに示すように、中央折目線２３ｃと中央折目線２４ｃとを互いに近づける方向に押圧する。矢印βに示す押圧によって、折目線２１ａ、折目線２３ａ、折目線２１ｂ及び折目線２４ｂは、紙製ブランク２の裏側から窪んだ逆罫線となっているので、容易に折れ曲がるようになっている。
【００５５】
矢印βに示す押圧によって、側面部２３では中央折目線２３ｃが折れ曲がっていない状態に戻り、側面部２４では中央折目線２４ｃの折れ曲がっていない状態に戻る。
【００５６】
また、矢印βに示す押圧によって、図５では重なった状態だった正面部２１と背面部２２とが離間していく。この離間していく過程で、折目線２１ａ、折目線２３ａ、折目線２１ｂ、折目線２４ｂ、折目線２２ａ及び折目線２２ｂに沿って紙製ブランク２の表側が山折りとなるように折られて、紙製ブランク２は筒体となる。
【００５７】
最後に、筒体の上の開口はフラップ２７Ａ、フラップ２７Ｂ及び上面部２５で閉塞され、筒体の下の開口は地獄底構成部２６Ａ〜２６Ｄで閉塞されることで、図６に示す組み立てた化粧箱となる。
【００５８】
組み立てた化粧箱において、正面部２１は、逆罫線である折目線２１ａと折目線２１ｂとに挟まれた領域である。正面部２１は、折目線２１ａと折目線２１ｂとが互いに最も離れた部分が最もへこんでおり、折目線２１ａと折目線２１ｂとが互いに最も近づいた部分が最もふくらんでいる。つまり、正面部２１は、へこみとふくらみを有している。
【００５９】
組み立てた化粧箱において、面取部２９Ａは、逆罫線である折目線２１ａと折目線２３ａとに挟まれた領域である。面取部２９Ａは、折目線２１ａと折目線２３ａとが互いに最も離れた部分が最もへこんでおり、折目線２１ａと折目線２３ａとが互いに最も近づいた部分が最もふくらんでいる。つまり、面取部２９Ａは、へこみとふくらみを有している。
【００６０】
組み立てた化粧箱において、面取部２９Ｂは、逆罫線である折目線２１ｂと折目線２４ｂとに挟まれた領域である。面取部２９Ｂは、折目線２１ｂと折目線２４ｂとが互いに最も離れた部分が最もへこんでおり、折目線２１ｂと折目線２４ｂとが互いに最も近づいた部分が最もふくらんでいる。つまり、面取部２９Ｂは、へこみとふくらみを有している。
【００６１】
本発明の第三実施形態の紙製ブランク３について、図７から図９に基づいて説明する。図７の展開図は、紙製ブランク３を表側から見たものである。図８は、後述するのり代部３７Ａ〜３７Ｄの貼り加工を行った後の状態を示す。紙製ブランク３は、図８の状態で納品される場合もある。図７の展開図及び図８の平面図に示されている一点鎖線は折目線である。
【００６２】
紙製ブランク３は、正面部３１、背面部３２Ａ，背面部３２Ｂ、側面部３３、側面部３４、取っ手部３５Ａ〜３５Ｃ、地獄底構成部３６Ａ〜３６Ｅ、及び、のり代部３７Ａ〜３７Ｄを有する。
【００６３】
正面部３１と側面部３３との間にある折目線３１ａ〜３１ｃは、紙製ブランク３の裏側から窪んだ逆罫線となっている。折目線３１ａ〜３１ｃは、収容部形成用折目線の役割を果たすと同時に意匠用折目線の役割も果たす。
【００６４】
背面部３２Ａと側面部３３との間にある折目線３２ａ〜３２ｃは、紙製ブランク３の裏側から窪んだ逆罫線となっている。折目線３２ａ〜３２ｃは、収容部形成用折目線の役割を果たすと同時に意匠用折目線の役割も果たす。
【００６５】
正面部３１と側面部３４との間にある折目線３１ｄ〜３１ｆは、紙製ブランク３の裏側から窪んだ逆罫線となっている。折目線３１ｄ〜３１ｆは、収容部形成用折目線の役割を果たすと同時に意匠用折目線の役割も果たす。
【００６６】
背面部３２Ｂと側面部３４との間にある折目線３２ｄ〜３２ｆは、紙製ブランク３の裏側から窪んだ逆罫線となっている。折目線３２ｄ〜３２ｆは、収容部形成用折目線の役割を果たすと同時に意匠用折目線の役割も果たす。
【００６７】
図７の正面部３１において、折目線３１ａ〜３１ｃと折目線３１ｄ〜３１ｆは、線対称となっている。図７の側面部３３において、折目線３１ａ〜３１ｃと折目線３２ａ〜３２ｃは、線対称となっている。図７の側面部３４において、折目線３１ｄ〜３１ｆと折目線３２ｄ〜３２ｆは、線対称となっている。
【００６８】
正面部３１は、中央折目線３１ｇを有している。中央折目線３１ｇの上端は、取っ手部３５Ａの上端にまで達している。中央折目線３１ｇの下端は、地獄底構成部３６Ａの下端にまで達している。
【００６９】
背面部３２Ａとのり代部３７Ｃとの間、取っ手部３５Ｂとのり代部３７Ａとの間、取っ手部３５Ｂとのり代部３７Ｂとの間、及び、地獄底構成部３６Ｂとのり代部３７Ｄとの間には、中央折目線３２ｇがある。
【００７０】
側面部３３の折目線３３ａ〜３３ｄは紙製ブランク３の裏側から窪んだ逆罫線となっている。折目線３３ａ〜３３ｄは、意匠用折目線の役割を果たす。側面部３３の折目線３３ｅ〜３３ｇは紙製ブランク３の表側から窪んだ正罫線となっている。折目線３３ｅ〜３３ｇは、意匠用折目線の役割を果たす。
【００７１】
側面部３４の折目線３４ａ〜３４ｄは紙製ブランク３の裏側から窪んだ逆罫線となっている。折目線３４ａ〜３４ｄは、意匠用折目線の役割を果たす。側面部３４の折目線３４ｅ〜３４ｇは紙製ブランク３の表側から窪んだ正罫線となっている。折目線３４ｅ〜３４ｇは、意匠用折目線の役割を果たす。
【００７２】
この紙製ブランク３から化粧箱を組み立てる手順について以下に説明する。
【００７３】
まず、中央折目線３１ｇ及び中央折目線３２ｇに沿って紙製ブランク３の表側が山折りとなるように折り曲げる。
【００７４】
次いで、取っ手部３５Ｃとのり代部３７Ａ及びのり代部３７Ｂとが重なった状態で接着し、背面部３２Ｂとのり代部３７Ｃとが重なった状態で接着し、地獄蓋構成部３６Ｃとのり代部３７Ｄとが重なった状態で接着する。これにより、図８の平面図に示す状態となる。
【００７５】
次いで、図８の矢印γに示すように、中央折目線３１ｇと中央折目線３２ｇとを互いに近づける方向に押圧する。矢印γに示す押圧によって、折目線３１ａ〜３１ｃ、折目線３２ａ〜３２ｃ、折目線３１ｄ〜３１ｆ及び折目線３２ｄ〜３２ｆは、紙製ブランク３の裏側から窪んだ逆罫線となっているので、容易に折れ曲がるようになっている。
【００７６】
矢印γに示す押圧によって、正面部３１では中央折目線３１ｇが折れ曲がっていない状態に戻り、接着により背面部３２Ａと背面部３２Ｂが一体となった面では、中央折目線３２ｇの折れ曲がっていない状態に戻る。
【００７７】
また、矢印γに示す押圧によって、図８では重なった状態だった側面部３３と側面部３４とが離間していく。この離間していく過程で、折目線３１ａ〜３１ｃ、折目線３２ａ〜３２ｃ、折目線３１ｄ〜３１ｆ及び折目線３２ｄ〜３２ｆに沿って紙製ブランク３の表側が山折りとなるように折られて、紙製ブランク３は筒体となる。
【００７８】
筒体の上の開口は取っ手部３５Ａと取っ手部３５Ｂ及び取っ手部３５Ｃが一体となったものが重なることによって閉塞され、筒体の下の開口は地獄底構成部３６Ａ〜３６Ｅで閉塞される
【００７９】
最後に、正罫線である折目線３３ｅ〜３３ｇ及び折目線３４ｅ〜３４ｇをそれぞれ紙製ブランク３の表面側から押圧することによって、折目線３３ｅ〜３３ｇ及び折目線３４ｅ〜３４ｇに沿って紙製ブランク３の表面側が谷折りとなるように折られる。その結果、図９に示す組み立てた化粧箱となる。
【００８０】
組み立てた化粧箱において、正面部３１は、逆罫線である折目線３１ａ〜３１ｃと折目線３１ｄ〜３１ｆとに挟まれた領域である。正面部３１は折目線３１ａ〜３１ｃと折目線３１ｄ〜３１ｆとが互いに最も近づいた部分が最もふくらんでいる。つまり、正面部３１は、ふくらみを有している。
【００８１】
組み立てた化粧箱において、接着により一体となった背面部３２Ａと背面部３２Ｂは、逆罫線である折目線３２ａ〜３２ｃと折目線３２ｄ〜３２ｆとに挟まれた領域である。接着により一体となった背面部３２Ａと背面部３２Ｂは折目線３２ａ〜３２ｃと折目線３２ｄ〜３２ｆとが互いに最も近づいた部分が最もふくらんでいる。つまり、接着により一体となった背面部３２Ａと背面部３２Ｂは、ふくらみを有している。
【００８２】
組み立てた化粧箱において、側面部３３は、逆罫線である折目線３１ａ〜３１ｃと折目線３２ａ〜３２ｃとに挟まれた領域である。この側面部３３は、折目線３１ａと折目線３２ａとが集まる点が尖るようにふくらんでいる。また、この側面部３３は、折目線３３ａ〜３３ｄと折目線３３ｆ〜３３ｇとが集まる点が尖るようにふくらんでいる。折目線３１ａ〜３１ｃと折目線３２ａ〜３２ｃとに挟まれた領域の中にあり、紙製ブランク３の表面側が山折りとなるように折られている折目線３３ａ〜３３ｄがふくらんでいる。さらに、紙製３ブランクの表面側が谷折りとなるように折られている折目線３３ｅ〜３３ｇがへこんでいる。つまり、側面部３３は、へこみとふくらみを有している。
【００８３】
また、組み立てた化粧箱において、側面部３３の折目線３１ａ、折目線３２ａ、折目線３３ａ及び折目線３３ｄに囲まれた領域は逆罫線で囲まれた領域である。折目線３１ａ、折目線３２ａ、折目線３３ａ及び折目線３３ｄに囲まれた領域は、紙製ブランク３の表面側が谷折りとなるように折られている折目線３３ｅがへこんでいる。つまり、折目線３１ａ、折目線３２ａ、折目線３３ａ及び折目線３３ｄに囲まれた領域は、へこみを有している。
【００８４】
同様に、折目線３１ｂ、折目線３１ｃ、折目線３３ａ及び折目線３３ｂに囲まれた領域も、へこみを有しており、折目線３２ｂ、折目線３２ｃ、折目線３３ｃ及び折目線３３ｄに囲まれた領域も、へこみを有している。
【００８５】
組み立てた化粧箱において、側面部３４は、逆罫線である折目線３１ｄ〜３１ｆと折目線３２ｄ〜３２ｆとに挟まれた領域である。この側面部３４は、折目線３１ｄと折目線３２ｄとが集まる点が尖るようにふくらんでいる。
【００８６】
また、この側面部３４は、折目線３４ａ〜３４ｄと折目線３４ｆ〜３４ｇとが集まる点が尖るようにふくらんでいる。
【００８７】
折目線３１ｄ〜３１ｆと折目線３２ｄ〜３２ｆとに挟まれた領域の中にあり、紙製ブランク３の表面側が山折りとなるように折られている折目線３４ａ〜３４ｄがふくらんでいる。
【００８８】
さらに、紙製ブランク３の表面側が谷折りとなるように折られている折目線３４ｅ〜３４ｇがへこんでいる。つまり、側面部３４は、へこみとふくらみを有している。
【００８９】
また組み立てた化粧箱において、側面部３４の折目線３１ｄ、折目線３２ｄ、折目線３４ａ及び折目線３４ｄに囲まれた領域は逆罫線で囲まれた領域である。折目線３１ｄ、折目線３２ｄ、折目線３４ａ及び折目線３４ｄに囲まれた領域はブランクの表面側が谷折りとなるように折られている折目線３４ｅがへこんでいる。
【００９０】
つまり、折目線３１ｄ、折目線３２ｄ、折目線３４ａ及び折目線３４ｄに囲まれた領域は、へこみを有している。
【００９１】
同様に、折目線３１ｅ、折目線３１ｆ、折目線３４ｃ及び折目線３４ｄに囲まれた領域も、へこみを有しており、折目線３２ｅ、折目線３２ｆ、折目線３４ａ及び折目線３４ｂに囲まれた領域も、へこみを有している。
【００９２】
本発明の第四実施形態の紙製ブランク４について、図１０から図１２に基づいて説明する。図１０の展開図は、紙製ブランク４を表側から見たものである。図１１は、後述する背面部４２Ａと背面部４２Ｂとが重なった状態で接着した後の状態を示す。図１０の展開図及び図１１の平面図に示されている一点鎖線は折目線である。
【００９３】
紙製ブランク４は、正面部４１、背面部４２Ａ、背面部４２Ｂ及びワンタッチ底構成部４３Ａ〜４３Ｄを有する。
【００９４】
正面部４１にある折目線４１ａ及び折目線４１ｂは、紙製ブランク４の裏側から窪んだ逆罫線となっている。
【００９５】
背面部４２Ａにある折目線４２ａは、紙製ブランク４の裏側から窪んだ逆罫線となっている。背面部４２Ｂにある折目線４２ｂは、紙製ブランク４の裏側から窪んだ逆罫線となっている。
【００９６】
折目線４１ａ及び折目線４１ｂは正面部４１において、弧を描く曲線となっている。折目線４２ａは背面部４２Ａにおいて弧を描く曲線となっている。折目線４２ｂは背面部４２Ｂにおいて弧を描く曲線となっている。
【００９７】
折目線４１ａの上端及び折目線４１ｂの上端は、正面部４１の上端に達している。折目線４２ａの上端は、背面部４２Ａの上端に達している。折目線４２ｂの上端は、背面部４２Ｂの上端に達している。
【００９８】
折目線４１ａの下端と折目線４２ａの下端は、正面部４１と背面部４２Ａとの間の折目線４１ｃ上でつながっている。折目線４１ｂの下端と折目線４２ｂの下端は、正面部４１と背面部４２Ｂとの間の折目線４１ｄ上でつながっている。折目線４１ｃ及び折目線４１ｄは収容部形成用折目線の役割を果たす。
【００９９】
正面部４１の折目線４１ａと折目線４１ｂとの間には、紐体を通すための穴４１ｆが形成されている。
【０１００】
背面部４２Ａの折目線４２ａと背面部４２Ａの左外縁４２ｃとの間には、紐体を通すための穴４２ｄが形成されている。背面部４２Ｂの右外縁４２ｅには、背面部４２Ａと背面部４２Ｂとを重ねて接着した時に、穴４２ｄと右外縁４２ｅとが重ならないようになっている切欠き４２ｆが形成されている。
【０１０１】
正面部４１の折目線４１ａと背面部４２Ａの折目線４２ａと挟まれた領域には、切り込み線４１ｇと切り込み線４２ｇが形成されている。図１０において、切り込み線４１ｇの上端は、正面部４１の上端に達しており、切り込み線４２ｇの上端は、背面部４２Ａの上端に達している。
【０１０２】
切り込み線４１ｇの下端と切り込み線４２ｇの下端とは、折目線４１ｃの延長線上で繋がっている。切り込み線４１ｇの下端及び切り込み線４２ｇの下端が繋がっている点と
折目線４１ａの下端及び折目線４２ａの下端が繋がっている点との間には折目線４１ｈが形成されている。折目線４１ｈは、意匠用折目線の役割を果たす。
【０１０３】
正面部４１の折目線４１ａと背面部４２Ａの折目線４２ａと挟まれた領域は、折目線４１ａ、折目線４２ａ、切り込み線４１ｇ及び切り込み線４２ｇに囲まれた領域でもある。正面部４１の折目線４１ａと背面部４２Ａの折目線４２ａと挟まれた領域を分割するように折目線４１ｈが形成されている。
【０１０４】
正面部４１の折目線４１ｂと背面部４２Ｂの折目線４２ｂと挟まれた領域には、切り込み線４１ｉと切り込み線４２ｉが形成されている。図１０において、切り込み線４１ｉの上端は、正面部４１の上端に達しており、切り込み線４２ｉの上端は、背面部４２Ｂの上端に達している。
【０１０５】
切り込み線４１ｉの下端と切り込み線４２ｉの下端とは、折目線４１ｄの延長線上で繋がっている。切り込み線４１ｉの下端及び切り込み線４２ｉの下端が繋がっている点と
折目線４１ｂの下端及び折目線４２ｂの下端が繋がっている点との間には折目線４１ｌが形成されている。折目線４１ｌは意匠用折目線の役割を果たす。
【０１０６】
正面部４１の折目線４１ｂと背面部４２Ｂの折目線４２ｂと挟まれた領域は、折目線４１ｂ、折目線４２ｂ、切り込み線４１ｉと切り込み線４２ｉに囲まれた領域でもある。正面部４１の折目線４１ｂと背面部４２Ｂの折目線４２ｂと挟まれた領域を分割するように折目線４１ｌが形成されている。
【０１０７】
図１０において、折目線４１ａと折目線４２ａは、折目線４１ｃ及びその延長線を対象の軸として、線対称となっている。図１０において、折目線４１ｂと折目線４２ｂは、折目線４１ｄ及びその延長線を対象の軸として、線対称となっている。
【０１０８】
この紙製ブランク４から化粧箱を組み立てる手順について以下に説明する。
【０１０９】
まず、折目線４１ｃと折目線４１ｈとが一体となった折目線、及び、折目線４１ｄと折目線４１ｌが一体となった折目線に沿って紙製ブランク４の表側が山折りとなるように折り曲げる。ワンタッチ底構成部４３Ａ〜４３Ｄは、紙製ブランク４の表側が山折りとなるように折り曲げられ、正面部４１と背面部４２Ａ及び背面部４２Ｂとの間に挟み込まれた状態となっている。
【０１１０】
次いで、背面部４２Ａと背面部４２Ｂとが重なった状態で接着する。
【０１１１】
次いで、図１１の矢印δに示すように、折目線４１ｃと折目線４１ｄとを互いに近づける方向に押圧する。矢印δに示す押圧によって、紙製ブランク４は筒体となる。筒体となる過程で、筒体の下の開口はワンタッチ底構成部４３Ａ〜４３Ｄで自動的に閉塞されるようになっている。
【０１１２】
折目線４１ｈを紙製ブランク４の表面側から押圧すると、正面部４１の折目線４２ａと背面部４２Ａの折目線４２ａに沿って、紙製ブランク４の表側が山折りとなるように折られる。
【０１１３】
同様に、折目線４１ｌを紙製ブランク４の表面側から押圧すると、正面部４１の折目線４１ｂと背面部４２Ｂの折目線４２ｂに沿って、紙製ブランク４の表側が山折りとなるように折られる。
【０１１４】
正面部４１の穴４１ｆと背面部４２Ａの穴４２ｄに紐を通して、穴４１ｆと穴４２ｄを互いに接近させるようにその紐を結ぶと、正面部４１の上端と背面部４２Ａ及び背面部４２Ｂが一体となった面の上端とが当接する。
【０１１５】
正面部４１の折目線４１ａと背面部４２Ａの折目線４２ａと挟まれた領域において、切り込み線４１ｇと切り込み線４２ｇとの間の隙間も閉塞し、正面部４１の折目線４１ｂと背面部４２Ｂの折目線４２ｂと挟まれた領域において、切り込み線４１ｉと切り込み線４２ｉとの間の隙間も閉塞する。
【０１１６】
以上の手順により、紙製ブランク４は図１２に示す化粧箱となる。尚、図１２では、正面部４１の穴４１ｆと背面部４２Ａの穴４２ｄに通した紐は省略した。
【０１１７】
組み立てた化粧箱において、正面部４１の折目線４１ａと背面部４２Ａの折目線４２ａと挟まれた領域は、逆罫線に挟まれた領域である。この正面部４１の折目線４１ａと背面部４２Ａの折目線４２ａと挟まれた領域は、へこみを有している。
【０１１８】
組み立てた化粧箱において、正面部４１の折目線４１ｂと背面部４２Ｂの折目線４２ｂと挟まれた領域は、逆罫線に挟まれた領域である。正面部４１の折目線４１ｂと背面部４２Ｂの折目線４２ｂと挟まれた領域は、へこみを有している。
【０１１９】
本発明の第五実施形態の紙製ブランク５について、図１３から図１４に基づいて説明する。図１３の展開図は、紙製ブランク５を表側から見たものである図１３の展開図に示されている一点鎖線は折目線である。
【０１２０】
紙製ブランク５は、第一面部５１、第二面部５２、第三面部５３、第四面部５４、第五面部５５、第六面部５６、及び、のり代部５７を有する。
【０１２１】
第一面部５１にある折目線５１ａ、折目線５１ｂ、折目線５１ｃ及び折目線５１ｄは、紙製ブランク５の裏側から窪んだ逆罫線となっている。
【０１２２】
第二面部５２にある折目線５２ａ、折目線５２ｂ、折目線５２ｃ及び折目線５２ｄは、紙製ブランク５の裏側から窪んだ逆罫線となっている。
【０１２３】
第三面部５３にある折目線５３ａ、折目線５３ｂ、折目線５３ｃ及び折目線５３ｄは、紙製ブランク５の裏側から窪んだ逆罫線となっている。
【０１２４】
第四面部５４にある折目線５４ａ、折目線５４ｂ、折目線５４ｃ及び折目線５４ｄは、紙製ブランク５の裏側から窪んだ逆罫線となっている。
【０１２５】
第五面部５５にある折目線５５ａ、折目線５５ｂ、折目線５５ｃ及び折目線５５ｄは、紙製ブランク５の裏側から窪んだ逆罫線となっている。
【０１２６】
第六面部５６にある折目線５６ａ、折目線５６ｂ、折目線５６ｃ及び折目線５６ｄは、紙製ブランク５の裏側から窪んだ逆罫線となっている。
【０１２７】
のり代部５７にある折目線５７ｂ及び折目線５７ｃは、紙製ブランク５の裏側から窪んだ逆罫線となっている。
【０１２８】
第一面部５１において、折目線５１ａ、折目線５１ｂ、折目線５１ｃ及び折目線５１ｄは弧を描く曲線となっている。第二面部５２〜第六面部５６の各折目線５２ａ〜５６ｄも同様の形状となっている。のり代部５７の折目線５７ｂ及び折目線５７ｃも弧を描く曲線となっている。
【０１２９】
折目線５１ａの上端及び折目線５１ｂの上端は、第一面部５１の上端に達している。折目線５１ｃの下端及び折目線５１ｄの下端は、第一面部５１の下端に達している。第二面部５２〜第六面部５６の各折目線５２ａ〜５６ｄも同様となっている。のり代部５７の折目線５７ｂの上端及び折目線５７ｃの下端はのり代部５７の外縁５７ｅに達している。
【０１３０】
図１３の第一面部５１及び第二面部５２において、折目線５１ａの下端と折目線５２ａの下端は、第一面部５１と第二面部５２との間の折目線５１ｅ上でつながっている。折目線５１ｄの上端と折目線５２ｄの上端も同様に、折目線５１ｅ上でつながっている。折目線５１ｂの下端と折目線５１ｃの上端は、第一面部の外縁５１ｍに達している。
【０１３１】
図１３の第二面部５２及び第三面部５３において、折目線５２ｂの下端と折目線５３ｂの下端は、第二面部５２と第三面部５３との間の折目線５２ｅ上でつながっている。折目線５２ｃの上端と折目線５３ｃの上端も同様に、折目線５２ｅ上でつながっている。
【０１３２】
図１３の第三面部５３及び第四面部５４、第四面部５４及び第五面部５５、並びに、第五面部５５及び第六面部５６においても、第二面部５２及び第三面部５３の場合と同様の折目線の配置となっている。
【０１３３】
図１３の第六面部５６及びのり代部５７において、折目線５６ｂの下端と折目線５７ｂの下端は、第六面部５６とのり代部５７との間の折目線５６ｅ上でつながっている。折目線５６ｃの上端と折目線５７ｃの上端も同様に、折目線５６ｅ上でつながっている。
【０１３４】
図１３の第一面部５１において、折目線５１ａと折目線５１ｂ、及び折目線５１ｃと折目線５１ｄとが、第一面部５１の幅方向に対向する位置となっている。第二面部５２〜第六面部５６の各折目線５２ａ〜５６ｄも同様に幅方向に対向する位置となっている。
【０１３５】
図１３の第一面部５１の上部及び下部には、それぞれ紐体を通すための一対の穴５１ｆが形成されている。第二面部５２から第六面部５６にも、同様にそれぞれ穴５２ｆ〜５６ｆが形成されている。
【０１３６】
第一面部５１の折目線５１ａと第二面部５２の折目線５２ａと挟まれた領域は、切り込み線５１ｇと切り込み線５２ｇが形成されている。図１３において、切り込み線５１ｇの上端は、第一面部５１の上端に達しており、切り込み線５２ｇの上端は、第二面部５２の上端に達している。
【０１３７】
切り込み線５１ｇの下端と切り込み線５２ｇの下端とは、折目線５１ｅの延長線上で繋がっている。切り込み線５１ｇの下端及び切り込み線５２ｇの下端が繋がっている点と
折目線５１ａの下端及び折目線５２ａの下端が繋がっている点との間には折目線５１ｉが形成されている。折目線５１ｉは、意匠用折目線の役割を果たす。
【０１３８】
第一面部５１の折目線５１ａと第二面部５２の折目線５２ａと挟まれた領域は、折目線５１ａ、折目線５２ａ、切り込み線５１ｇ及び切り込み線５２ｇに囲まれた領域でもある。第一面部５１の折目線５１ａと第二面部５２の折目線５２ａと挟まれた領域を分割するように折目線５１ｉが形成されている。
【０１３９】
第二面部５２の折目線５２ｂと第三面部５３の折目線５３ｂとに挟まれた領域、第三面部５３の折目線５３ａと第四面部５４の折目線５４ａとに挟まれた領域、第四面部５４の折目線５４ｂと第五面部５５の折目線５５ｂとに挟まれた領域、第五面部５５の折目線５５ａと第六面部５６の折目線５６ａとに挟まれた領域、及び、のり代部５７の貼り加工を行った後の状態における第六面部５６の折目線５６ｂと第一面部５１の折目線５１ｂとに挟まれた領域についても、同様となっている。
【０１４０】
第一面部５１の折目線５１ｄと第二面部５２の折目線５２ｄと挟まれた領域は、切り込み線５１ｊと切り込み線５２ｊが形成されている。図１３において、切り込み線５１ｊの下端は、第一面部５１の下端に達しており、切り込み線５２ｊの下端は、第二面部５２の下端に達している。
【０１４１】
切り込み線５１ｊの上端と切り込み線５２ｊの上端とは、折目線５１ｅの延長線上で繋がっている。切り込み線５１ｊの上端及び切り込み線５２ｊの上端が繋がっている点と
折目線５１ｄの上端と折目線５２ｄの上端とが繋がっている点との間には折目線５１ｌが形成されている。折目線５１ｌは、意匠用折目線の役割を果たす。
【０１４２】
第一面部５１の折目線５１ｄと第二面部５２の折目線５２ｄと挟まれた領域は、折目線５１ｄ、折目線５２ｄ、切り込み線５１ｊ及び切り込み線５２ｊに囲まれた領域でもある。第一面部５１の折目線５１ｄと第二面部５２の折目線５２ｄと挟まれた領域を分割するように折目線５１ｌが形成されている。
【０１４３】
第二面部５２の折目線５２ｃと第三面部５３の折目線５３ｃとに挟まれた領域、第三面部５３の折目線５３ｄと第四面部５４の折目線５４ｄとに挟まれた領域、第四面部５４の折目線５４ｃと第五面部５５の折目線５５ｃとに挟まれた領域、第五面部５５の折目線５５ｄと第六面部５６の折目線５６ｄとに挟まれた領域、及び、のり代部５７の貼り加工を行った後の状態における第六面部５６の折目線５６ｃと第一面部５１の折目線５１ｃとに挟まれた領域についても、同様となっている。
【０１４４】
図１３において、折目線５１ａと折目線５２ａは、折目線５１ｅ及びその延長線を対象の軸として、線対称となっている。折目線５２ｂと折目線５３ｂ、折目線５３ａと折目線５４ａ、折目線５４ｂと折目線５５ｂ、折目線５５ａと折目線５６ａ、のり代部５７の貼り加工を行った後の状態における折目線５６ｂと折目線５１ｂも同様に、線対称となっている。
【０１４５】
図１３において、折目線５１ｄと折目線５２ｄは、折目線５１ｅ及びその延長線を対象の軸として、線対称となっている。折目線５２ｃと折目線５３ｃ、折目線５３ｄと折目線５４ｄ、折目線５４ｃと折目線５５ｃ、折目線５５ｄと折目線５６ｄ、のり代部５７の貼り加工を行った後の状態における折目線５６ｃと折目線５１ｃも同様に、線対称となっている。
【０１４６】
この紙製ブランク５から化粧箱を組み立てる手順について以下に説明する。
【０１４７】
折目線５１ｅ〜５６ｅを、紙製ブランク５の表側が山折りとなるように折り曲げて、第一面部５１とのり代部５７とが重なった状態で貼り加工を行う。これにより、紙製ブランク５は筒体となる。
【０１４８】
次いで、折目線５１ｉ〜折目線５６ｉを紙製ブランク５の表面側から押圧すると、それぞれ、折目線５１ａと折目線５２ａ、折目線５２ｂと折目線５３ｂ、折目線５３ａと折目線５４ａ、折目線５４ｂと折目線５５ｂ、折目線５５ａと折目線５６ａ及び折目線５６ｂと折目線５１ｂの各折目線に沿って、紙製ブランク５の表側が山折りとなるように折られる。
【０１４９】
折目線５１ｉ〜折目線５６ｉは、紙製ブランク５の表側が谷折となるように折られる。第一面部５１〜第六面部５６の上端側の穴５１ｆ〜５６ｆに紐を通して、筒体の上の開口の中央に集合させるようにその紐を結ぶことによって、筒体の上の開口を塞ぐことができる。
【０１５０】
次いで、折目線５１ｌ〜折目線５６ｌを紙製ブランク５の表面側から押圧すると、それぞれ、折目線５１ｄと折目線５２ｄ、折目線５２ｃと折目線５３ｃ、折目線５３ｄと折目線５４ｄ、折目線５４ｃと折目線５５ｃ、折目線５５ｄと折目線５６ｄ及び折目線５６ｃと折目線５１ｃの各折目線に沿って、紙製ブランク５の表側が山折りとなるように折られる。
【０１５１】
折目線５１ｌ〜折目線５６ｌは、紙製ブランク５の表側が谷折となるように折られる。第一面部５１〜第六面部５６の下端側の穴５１ｆ〜５６ｆに紐を通して、筒体の下の開口の中央に集合させるようにその紐を結ぶことによって、筒体の下の開口を塞ぐことができる。
【０１５２】
以上の手順により、紙製ブランク５は図１４に示す化粧箱となる。尚、図１４では、穴５１ｆ〜５６ｆに通した紐は省略した。
【０１５３】
組み立てた化粧箱において、第一面部５１の折目線５１ａと第二面部５２の折目線５２ａと挟まれた領域は、逆罫線に挟まれた領域である。第一面部５１の折目線５１ａと第二面部５２の折目線５２ａと挟まれた領域は、へこみを有している。
【０１５４】
第二面部５２の折目線５２ｂと第三面部５３の折目線５３ｂと挟まれた領域、第三面部５３の折目線５３ａと第四面部５４の折目線５４ａと挟まれた領域、第四面部５４の折目線５４ｂと第五面部５５の折目線５５ｂと挟まれた領域、第五面部５５の折目線５５ａと第六面部５６の折目線５６ａと挟まれた領域、及び、のり代部５７の貼り加工を行った後の状態における第六面部５６の折目線５６ｂと第一面部５１の折目線５１ｂと挟まれた領域についても、同様となっている。
【０１５５】
組み立てた化粧箱において、第一面部５１の折目線５１ｄと第二面部５２の折目線５２ｄと挟まれた領域は、逆罫線に挟まれた領域である。第一面部５１の折目線５１ｄと第二面部５２の折目線５２ｄと挟まれた領域は、へこみを有している。
【０１５６】
第二面部５２の折目線５２ｃと第三面部５３の折目線５３ｃと挟まれた領域、第三面部５３の折目線５３ｄと第四面部５４の折目線５４ｄと挟まれた領域、第四面部５４の折目線５４ｃと第五面部５５の折目線５５ｃと挟まれた領域、第五面部５５の折目線５５ｄと第六面部５６の折目線５６ｄと挟まれた領域、及び、のり代部５７の貼り加工を行った後の状態における第六面部５６の折目線５６ｃと第一面部５１の折目線５１ｃと挟まれた領域についても、同様となっている。
【０１５７】
本発明の第六実施形態の紙製ブランク６について、図１５から図１６に基づいて説明する。図１５の展開図は、紙製ブランク６を表側から見たものである。図１５の展開図に示されている一点鎖線は折目線である。図１５の紙製ブランク６の展開図を組み立てると図１６の斜視図に示す蓋体の化粧箱となる。
【０１５８】
紙製ブランク６を組み立ててできる蓋体の上面６１は、折目線６１ａ〜折目線６１ｈに囲まれている。折目線６１ａ〜折目線６１ｈは、それぞれ紙製ブランク６の裏側から窪んだ逆罫線である。折目線６１ａ〜折目線６１ｈは、収容部形成用折目線の役割を果たす。連続する折目線６１ａ〜折目線６１ｄ、及び、連続する折目線６１ｅ〜折目線６１ｈは、それぞれ、逆罫線の曲線となる。
【０１５９】
また、蓋体の上面６１の中心から放射状に折目線６１ｉ〜６１ｌが形成されている。折目線６１ｉ〜折目線６１ｌは、それぞれ紙製ブランク６の裏側から窪んだ逆罫線である。折目線６１ｉ〜折目線６１ｌは、意匠用折目線の役割を果たす。
【０１６０】
さらに、蓋体の上面６１の中心から放射状に折目線６１ｍ〜６１ｐが形成されている。折目線６１ｍ〜折目線６１ｐは、それぞれ紙製ブランク６の表側から窪んだ正罫線である。折目線６１ｍ〜折目線６１ｐは、意匠用折目線の役割を果たす。
【０１６１】
連続する折目線６１ａ〜折目線６１ｄと連続する折目線６１ｅ〜折目線６１ｈとの挟まれた領域は、正罫線である折目線６１ｍ〜折目線６１ｐで分割されている。
【０１６２】
逆罫線の折目線６１ａ、折目線６１ｂ、折目線６１ｉ及び折目線６１ｊで囲まれた領域は、正罫線である折目線６１ｍで分割されている。
【０１６３】
逆罫線の折目線６１ｃ、折目線６１ｄ、折目線６１ｊ及び折目線６１ｋで囲まれた領域は、正罫線である折目線６１ｎで分割されている。
【０１６４】
逆罫線の折目線６１ｅ、折目線６１ｆ、折目線６１ｋ及び折目線６１ｌで囲まれた領域は、正罫線である折目線６１ｏで分割されている。
【０１６５】
逆罫線の折目線６１ｇ、折目線６１ｈ、折目線６１ｌ及び折目線６１ｉで囲まれた領域は、正罫線である折目線６１ｐで分割されている。
【０１６６】
この紙製ブランク６の展開図を組み立てる過程で、逆罫線である折目線６１ａ〜折目線６１ｈに沿って紙製ブランク６の表側が山折りとなるように折られる。
【０１６７】
この紙製ブランク６の展開図を組み立てる過程で、蓋体の上面６１の折目線６１ｍ〜６１ｐを押圧することによって、逆罫線である折目線６１ｉ〜折目線６１ｌに沿って紙製ブランク６の表側が山折りとなるように折られ、正罫線である折目線６１ｍ〜折目線６１ｐに沿って紙製ブランク６の表側が谷折りとなるように折られる。
【０１６８】
図１６に示すように、この紙製ブランク６を組み立てた化粧箱である蓋体の上面６１は、逆罫線である折目線６１ａ〜折目線６１ｄと逆罫線である折目線６１ｅ〜折目線６１ｈとの挟まれた領域である。
【０１６９】
蓋体の上面６１は、中央付近が盛り上がり、この中央付近から逆罫線である折目線６１ｉ〜折目線６１ｌが山折りとなって放射状に延び、この中央付近から正罫線である折目線６１ｍ〜折目線６１ｐが谷折りとなって放射状に延びている。
【０１７０】
従って、逆罫線に挟まれた領域である蓋体の上面６１は、へこみ又はふくらみを有する。
【０１７１】
正罫線である折目線６１ｍが谷折となっているので、逆罫線の折目線６１ａ、折目線６１ｂ、折目線６１ｉ及び折目線６１ｊで囲まれた領域は、へこみを有する。同様に折目線６１ｃ、折目線６１ｄ、折目線６１ｊ及び折目線６１ｋで囲まれた領域、折目線６１ｅ、折目線６１ｆ、折目線６１ｋ及び折目線６１ｌで囲まれた領域、並びに、折目線６１ｇ、折目線６１ｈ、折目線６１ｌ及び折目線６１ｉで囲まれた領域もへこみを有する。
【０１７２】
本発明の第七実施形態の紙製ブランク７について、図１７から図１８に基づいて説明する。図１７の展開図は、紙製ブランク７を表側から見たものである。図１７の展開図に示されている一点鎖線は折目線である。図１７の紙製ブランク７の展開図を組み立てると図１８の斜視図に示す化粧箱となる。
【０１７３】
紙製ブランク７を組み立ててできる化粧箱の壁部の上面７１は、折目線７１ａと折目線７１ｂに挟まれている。折目線７１ａと折目線７１ｂは、紙製ブランク７の裏側から窪んだ逆罫線である。折目線７１ａと折目線７１ｂは、収容部形成用折目線の役割を果たすとともに意匠用折目線の役割を果たす。
【０１７４】
折目線７１ａと折目線７１ｂは弧状の曲線である。
【０１７５】
この紙製ブランク７の展開図を組み立てる過程で、逆罫線である折目線７１ａと折目線７１ｂに沿って紙製ブランク７の表側が山折りとなるように折られる。
【０１７６】
図１８に示すように、この紙製ブランク７を組み立てた化粧箱の壁部の上面７１は、折目線７１ａと折目線７１ｂに挟まれた領域である。
【０１７７】
壁部の上面７１は、折目線７１ａと折目線７１ｂが最も近接した位置が壁部の立設方向に高くなっており、その位置から化粧箱の角に向かって壁部の立設方向に漸次低くなっていくようになっている。
【０１７８】
従って、逆罫線に挟まれた領域である壁部の上面７１は、ふくらみを有する。
【０１７９】
上記第一実施形態では、筒体の上下の開口の閉塞が、差し込み式のフタで閉塞される場合について説明したがこれに限定されることはない。例えば、地獄底構成部、ワンタッチ底構成部等の別の方法で閉塞されていてもよい。
【０１８０】
上記第二実施形態及び第三実施形態では、筒体の下の開口の閉塞が、地獄底構成部で閉塞される場合について説明したがこれに限定されることはない。例えば、差し込み式のフタ、ワンタッチ底構成部等の別の方法で閉塞されていてもよい。
【０１８１】
上記第四実施形態では、筒体の下の開口の閉塞が、ワンタッチ底構成部で閉塞される場合について説明したがこれに限定されることはない。例えば、差し込み式のフタ、地獄底構成部等の別の方法で閉塞されていてもよい。
【０１８２】
上記第四実施形態及び第五実施形態では、逆罫線及び紙製ブランク７の外縁に囲まれた領域を分割するように形成された折目線４１ｈ，４１ｌ，５１ｉ〜５６ｉ及び５１ｌ〜５６ｌについて説明した。これらの折目線は、正罫線に限定されることはなく。例えば、ミシン線等の押圧することで谷折可能な折目線であってもよい。
【０１８３】
上記第五実施形態では、紙製ブランク５は、第一面部５１〜第六面部５６を有し、横断面が六角形の筒体となる場合を説明したが、これに限定されることはない。例えば、横断面が三角形、四角形等の多角形の筒体となってもよい。
【符号の説明】
【０１８４】
１〜７    紙製ブランク
１１    正面部
１１ａ，１１ｂ    折目線
１２    背面部
１２ａ，１２ｂ    折目線
１３，１４    側面部
１３ａ，１４ａ    中央折目線
１５    上面部
１６    底面部
１７Ａ，１７Ｂ    フラップ
１８    のり代部
２１    正面部
２１ａ，２１ｂ    折目線
２２    背面部
２２ａ，２２ｂ    折目線
２３，２４    側面部
２３ａ，２４ｂ    折目線
２３ｃ，２４ｃ    中央折目線
２５    上面部
２６Ａ〜２６Ｄ    地獄底構成部
２７Ａ，２７Ｂ    フラップ
２８    のり代部
２９Ａ，２９Ｂ    面取部
３１    正面部
３１ａ〜３１ｆ    折目線
３１ｇ    中央折目線
３２Ａ，３２Ｂ    背面部
３２ａ〜３２ｆ    折目線
３２ｇ    中央折目線
３３    側面部
３３ａ〜３３ｇ    折目線
３４    側面部
３４ａ〜３４ｇ    折目線
３５Ａ、３５Ｂ，３５Ｃ    取っ手部
３６Ａ〜３６Ｅ    地獄底構成部
３７Ａ〜３７Ｄ    のり代部
４１    正面部
４１ａ〜４１ｄ、４１ｈ、４１ｌ    折目線
４１ｆ    穴
４１ｇ，４１ｉ    切り込み線
４２Ａ，４２Ｂ    背面部
４２ａ，４２ｂ    折目線
４２ｃ    左外縁
４２ｄ    穴
４２ｅ    右外縁
４２ｆ    切欠き
４２ｇ，４２ｉ    切り込み線
４３Ａ〜４３Ｄ    ワンタッチ底構成部
５１    第一面部
５１ａ〜５１ｅ，５１ｉ，５１ｌ    折目線
５１ｆ    穴
５１ｇ，５１ｈ，５１ｊ，５１ｋ    切り込み線
５１ｍ    外縁
５２    第二面部
５２ａ〜５２ｅ，５２ｉ，５２ｌ    折目線
５２ｆ    穴
５２ｇ，５２ｈ，５２ｊ，５２ｋ    切り込み線
５３    第三面部
５３ａ〜５３ｅ，５３ｉ，５３ｌ    折目線
５３ｆ    穴
５３ｇ，５３ｈ，５３ｊ，５３ｋ    切り込み線
５４    第四面部
５４ａ〜５４ｅ，５４ｉ，５４ｌ    折目線
５４ｆ    穴
５４ｇ，５４ｈ，５４ｊ，５４ｋ    切り込み線
５５    第五面部
５５ａ〜５５ｅ，５５ｉ，５５ｌ    折目線
５５ｆ    穴
５５ｇ，５５ｈ，５５ｊ，５５ｋ    切り込み線
５６    第六面部
５６ａ〜５６ｅ，５６ｉ，５６ｌ    折目線
５６ｆ    穴
５６ｇ，５６ｈ，５６ｊ，５６ｋ    切り込み線
５７    のり代部
５７ｂ，５７ｃ    折目線
５７ｅ    外縁
６１    蓋体の上面
６１ａ〜６１ｐ    折目線
７１    壁部の上面
７１ａ，７１ｂ    折目線